(57)【要約】【課題】動画コンテンツに関するユーザの嗜好情報と動画コンテンツの関連情報に関するユーザの嗜好情報とを融合した嗜好情報に基づいて関連情報を提示する動画情報視聴システムを提供することを目的とする。【解決手段】ユーザから選択された動画コンテンツを再生する再生制御部を有する動画情報視聴装置を備える動画情報視聴システムにおいて、動画コンテンツに関するユーザの嗜好度を示す動画コンテンツ嗜好度と、関連情報に関するユーザの嗜好度を示す関連情報嗜好度を算出する関連情報嗜好度算出部とに基づいて融合嗜好度を算出し、再生制御部は、再生対象の動画コンテンツに関連する関連情報を、融合嗜好度算出部によって算出された融合嗜好度順に表示することを特徴とする。【選択図】図２
2012084966.tif 000002
【特許請求の範囲】
【請求項１】
ユーザから選択された動画コンテンツを再生する再生制御部を有する動画情報視聴装置を備える動画情報視聴システムにおいて、
前記動画情報視聴システムは、前記再生制御部が再生する動画コンテンツを表示する表示部を備え、
前記動画情報視聴装置は、
ユーザが視聴可能な動画コンテンツから再生対象となる動画コンテンツのユーザによる選択を受け付ける動画コンテンツ選択部と、
前記再生対象の動画コンテンツを前記再生制御部に入力する動画コンテンツ入力部と、
前記動画コンテンツに関連する少なくとも一つの関連情報が登録された動画コンテンツ関連情報テーブルと、
前記動画コンテンツ関連情報テーブルに登録された関連情報を参照し、前記再生対象の動画コンテンツを取得し、前記取得した関連情報を前記再生制御部に入力する動画コンテンツ関連情報入力部と、を備え、
前記再生制御部は、前記入力された再生対象の動画コンテンツ及び前記入力された関連情報を前記表示部に表示し、
前記動画情報視聴装置は、
前記表示部に表示された関連情報のユーザによる選択を受け付ける動画コンテンツ関連情報選択部と、
前記動画コンテンツ選択部が前記再生対象の動画コンテンツの選択を受け付けた場合、前記動画コンテンツに関するユーザの嗜好度を示す動画コンテンツ嗜好度を算出する動画コンテンツ嗜好度算出部と、
前記動画コンテンツ関連情報選択部が前記関連情報の選択を受け付けた場合、前記関連情報に関するユーザの嗜好度を示す関連情報嗜好度を算出する関連情報嗜好度算出部と、
前記動画コンテンツ関連情報算出部によって算出された前記動画コンテンツの嗜好度と前記関連情報嗜好度算出部によって算出された前記関連情報の嗜好度とに基づいて融合嗜好度を算出する融合嗜好度算出部と、を備え、
前記再生制御部は、前記再生対象の動画コンテンツに関連する関連情報を、前記融合嗜好度算出部によって算出された融合嗜好度順に表示することを特徴とする動画情報視聴システム。
【請求項２】
前記動画情報視聴システムは、前記動画情報視聴装置と通信可能な計算機を備え、
前記動画情報視聴装置は、前記融合嗜好度を前記計算機へ送信する嗜好度送信部を備え、
前記計算機は、
前記融合嗜好度を受信した場合、前記受信した融合嗜好度に予め設定された数の関連情報を収集する関連情報収集部と、
前記関連情報収集部によって収集された関連情報を前記動画情報視聴装置に送信する関連情報送信部と、を備え、
前記関連情報収集部は、前記受信した融合嗜好度が大きければ大きいほど、収集する関連情報の数を多くすることを特徴とする請求項１に記載の動画情報視聴システム。
【請求項３】
前記動画コンテンツは少なくとも一つのキーワードを含み、
前記動画コンテンツ関連情報テーブルには、前記動画コンテンツに含まれるキーワードと前記関連情報との対応関係が登録され、
前記動画コンテンツ嗜好度は、前記動画コンテンツに含まれるキーワードごとに算出され、
前記関連情報嗜好度及び前記融合嗜好度は、前記キーワードごとに算出され、
前記再生制御部は、前記再生対象の動画コンテンツに含まれるキーワードを前記表示部に表示し、
前記動画情報視聴装置は、
前記表示部に表示されたキーワードを介してユーザによるキーワードの指示を受け付けるキーワード指示部を備え、
前記動画コンテンツ嗜好度算出部は、
前記動画コンテンツ選択部が前記再生対象の動画コンテンツの選択を受け付けた場合、前記再生対象の動画コンテンツに含まれるキーワードに対応する前記動画コンテンツ嗜好度を算出し、
前記キーワード指定部が前記キーワードの指定を受け付けた場合、前記指定されたキーワードの前記動画コンテンツ嗜好度を算出し、
前記関連情報嗜好度算出部は、前記動画コンテンツ関連情報選択部が前記関連情報の選択を受け付けた場合、前記関連情報に対応するキーワードの前記関連情報嗜好度を算出することを特徴とする請求項１に記載の動画情報視聴システム。
【請求項４】
前記動画情報視聴装置がユーザによる所定の操作を受け付けた場合、前記動画コンテンツ選択部は、前記視聴可能な各動画コンテンツに含まれるすべてのキーワードの融合嗜好度の総和を示す動画コンテンツ融合嗜好度を前記再生制御部に入力し、
前記再生制御部は、前記視聴可能な動画コンテンツを前記入力された動画コンテンツ融合嗜好度順に並べた動画コンテンツ推薦一覧表示画面を表示し、
前記動画コンテンツ選択部は、前記動画コンテンツ推薦一覧表示画面を介して前記動画コンテンツの選択を受け付け、
前記動画コンテンツ選択部が前記動画コンテンツの選択を受け付けた場合、前記キーワード指定部は、前記指定された動画コンテンツに含まれるキーワードの融合嗜好度を前記再生制御部に入力し、
前記再生制御部は、前記選択された動画コンテンツに含まれるキーワードを、前記入力された融合嗜好度順に並べたキーワード推薦一覧表示画面を表示し、
前記キーワード指定部は、前記キーワード推薦一覧表示画面を介して前記キーワードの指定を受け付け、
前記再生制御部は、前記キーワード指定部が前記キーワードの指定を受け付けた場合、前記指定されたキーワードの出現位置から再生することを特徴とする請求項３に記載の動画情報視聴システム。
【請求項５】
前記動画情報視聴装置がユーザによる所定の操作を受け付けた場合、前記動画コンテンツ選択部は、前記動画コンテンツ融合嗜好度の取得要求を前記計算機に送信し、
前記計算機は、前記取得要求を受信した場合、前記視聴可能な各動画コンテンツに含まれるすべてのキーワードの融合嗜好度の総和を前記各動画コンテンツごとに算出し、前記各動画コンテンツの前記融合嗜好度の総和を前記動画コンテンツ融合嗜好度として前記計算機に送信することを特徴とする請求項４に記載の動画情報視聴システム。
【請求項６】
前記再生制御部は、前記キーワード推薦一覧表示画面に表示される各動画コンテンツに含まれるキーワードの前記融合嗜好度が最大のキーワードに対応する前記関連情報を前記キーワード推薦一覧表示画面に表示することを特徴とする請求項５に記載の動画情報視聴システム。
【請求項７】
前記再生制御部は、
前記視聴可能な動画コンテンツの一覧を示す動画コンテンツ一覧表示画面を前記表示部に表示し、
前記動画コンテンツ選択部が前記動画コンテンツ一覧表示画面を介して前記動画コンテンツの選択を受け付けた場合、前記選択された動画コンテンツに関連する関連情報を前記融合嗜好度算出部によって算出された融合嗜好度順で前記動画コンテンツ一覧表示画面中に表示することを特徴とする請求項１に記載の動画情報視聴システム。
【請求項８】
前記関連情報嗜好度算出部は、前記関連情報のユーザによる選択回数に基づいて前記関連情報嗜好度を算出することを特徴とする請求項１に記載の動画情報視聴システム。
【請求項９】
前記視聴可能な動画コンテンツは、放送中のテレビジョン番組、又は、前記動画情報視聴装置に録画したテレビジョン番組であり、
前記関連情報は、商品又はサービスをユーザに紹介する情報であることを特徴とする請求項１に記載の動画情報視聴システム。
【請求項１０】
ユーザから選択された動画コンテンツを再生する再生制御部を有する動画情報視聴装置を備える動画情報視聴方法において、
前記動画情報視聴システムは、前記再生制御部が再生する動画コンテンツを表示する表示部を備え、
前記動画情報視聴装置は、前記動画コンテンツに関連する少なくとも一つの関連情報が登録された動画コンテンツ関連情報テーブルを記憶し、
前記方法は、
ユーザが視聴可能な動画コンテンツから再生対象となる動画コンテンツのユーザによる選択を受け付ける動画コンテンツ選択ステップと、
前記再生対象の動画コンテンツを前記再生制御部に入力する動画コンテンツ入力ステップと、
前記動画コンテンツ関連情報テーブルに登録された関連情報を参照し、前記再生対象の動画コンテンツを取得し、前記取得した関連情報を前記再生制御部に入力する動画コンテンツ関連情報入力ステップと、
前記再生制御部が、前記入力された再生対象の動画コンテンツ及び前記入力された関連情報を前記表示部に表示するステップと、
前記表示部に表示された関連情報のユーザによる選択を受け付ける動画コンテンツ関連情報選択ステップと、
前記動画コンテンツ選択ステップで前記再生対象の動画コンテンツの選択を受け付けた場合、前記動画コンテンツに関するユーザの嗜好度を示す動画コンテンツ嗜好度を算出する動画コンテンツ嗜好度算出ステップと、
前記動画コンテンツ関連情報選択ステップで前記関連情報の選択を受け付けた場合、前記関連情報に関するユーザの嗜好度を示す関連情報嗜好度を算出する関連情報嗜好度算出ステップと、
前記動画コンテンツ関連情報算出ステップで算出された前記動画コンテンツの嗜好度と前記関連情報嗜好度算出ステップで算出された前記関連情報の嗜好度とに基づいて融合嗜好度を算出する融合嗜好度算出ステップと、
前記再生制御部が、前記再生対象の動画コンテンツに関連する関連情報を、前記融合嗜好度算出ステップによって算出された融合嗜好度順に表示するステップと、を含むことを特徴とする動画情報視聴方法。
【請求項１１】
前記動画情報視聴システムは、前記動画情報視聴装置と通信可能な計算機を備え、
前記方法は、
前記動画情報視聴装置が、前記融合嗜好度を前記計算機へ送信する嗜好度送信ステップと、
前記計算機が、前記融合嗜好度を受信した場合、前記受信した融合嗜好度に予め設定された数の関連情報を収集する関連情報収集ステップと、
前記計算機が、前記関連情報収集ステップで収集された関連情報を前記動画情報視聴装置に送信する関連情報送信ステップと、を含み、
前記関連情報収集ステップでは、前記受信した融合嗜好度が大きければ大きいほど、収集する関連情報の数を多くすることを特徴とする請求項１０に記載の動画情報視聴方法。
【請求項１２】
前記動画コンテンツは少なくとも一つのキーワードを含み、
前記動画コンテンツ関連情報テーブルには、前記動画コンテンツに含まれるキーワードと前記関連情報との対応関係が登録され、
前記動画コンテンツ嗜好度は、前記動画コンテンツに含まれるキーワードごとに算出され、
前記関連情報嗜好度及び前記融合嗜好度は、前記キーワードごとに算出され、
前記方法は、
前記再生制御部が、前記再生対象の動画コンテンツに含まれるキーワードを前記表示部に表示するステップと、
前記動画情報視聴装置が、前記表示部によって表示されたキーワードを介してユーザによるキーワードの指示を受け付けるキーワード指示ステップと、を含み、
前記動画コンテンツ嗜好度算出ステップでは、前記動画コンテンツ選択ステップで前記再生対象の動画コンテンツの選択を受け付けた場合、前記再生対象の動画コンテンツに含まれるキーワードの前記動画コンテンツ嗜好度を算出し、前記キーワード指定ステップで前記キーワードの指定を受け付けた場合、前記指定されたキーワードの前記動画コンテンツ嗜好度を算出し、
前記関連情報嗜好度算出ステップでは、前記動画コンテンツ関連情報選択ステップで前記関連情報の選択を受け付けた場合、前記関連情報の前記キーワードの前記関連情報嗜好度を算出することを特徴とする請求項１０に記載の動画情報視聴方法。
【請求項１３】
前記動画情報視聴装置がユーザによる所定の操作を受け付けた場合、前記動画コンテンツ選択ステップでは、前記視聴可能な各動画コンテンツに含まれるすべてのキーワードの融合嗜好度の総和を示す動画コンテンツ融合嗜好度を前記再生制御部に入力し、
前記方法は、前記再生制御部が前記視聴可能な動画コンテンツを前記入力された動画コンテンツ融合嗜好度順に並べた動画コンテンツ推薦一覧表示画面を表示するステップを含み、
前記動画コンテンツ選択ステップでは、前記動画コンテンツ推薦一覧表示画面を介して前記動画コンテンツの選択を受け付け、
前記動画コンテンツ選択ステップで前記動画コンテンツの選択を受け付けた場合、前記キーワード指定ステップでは、前記指定された動画コンテンツに含まれるキーワードの融合嗜好度を前記再生制御部に入力し、
前記方法は、前記再生制御部が前記選択された動画コンテンツに含まれるキーワードを、前記入力されたキーワードに対応する融合嗜好度順に並べたキーワード推薦一覧表示画面を表示するステップを含み、
前記キーワード指定ステップでは、前記キーワード推薦一覧表示画面を介して前記キーワードの指定を受け付け、
前記方法は、前記再生制御部が前記キーワード指定部が前記キーワードの指定を受け付けた場合、前記指定されたキーワードの出現位置から再生するステップを含むことを特徴とする請求項１２に記載の動画情報視聴方法。
【請求項１４】
前記動画情報視聴装置がユーザによる所定の操作を受け付けた場合、前記動画コンテンツ選択ステップでは、前記動画コンテンツ融合嗜好度の取得要求を前記計算機に送信し、
前記方法は、
前記計算機が、前記取得要求を受信した場合、前記視聴可能な各動画コンテンツに含まれるすべてのキーワードに対応する融合嗜好度の総和を前記各動画コンテンツごとに算出し、前記各動画コンテンツの前記融合嗜好度の総和を前記動画コンテンツ融合嗜好度として前記計算機に送信するステップを含むことを特徴とする請求項１３に記載の動画情報視聴システム。
【請求項１５】
前記方法は、前記再生制御部が、前記キーワード推薦一覧表示画面に表示される各動画コンテンツに含まれるキーワードの融合嗜好度が最大のキーワードに対応する関連する関連情報を前記キーワード推薦一覧表示画面に表示するステップを含むことを特徴とする請求項１４に記載の動画情報視聴方法。
【請求項１６】
前記方法は、
前記再生制御部が、前記視聴可能な動画コンテンツの一覧を示す動画コンテンツ一覧表示画面を前記表示部に表示するステップと、
前記動画コンテンツ選択ステップで、前記動画コンテンツ一覧表示画面を介して前記動画コンテンツの選択を受け付けた場合、前記再生制御部が、前記選択された動画コンテンツに関連する関連情報を前記融合嗜好度算出部によって算出された融合嗜好度順で前記動画コンテンツ一覧表示画面中に表示するステップと、を含むことを特徴とする請求項１０に記載の動画情報視聴方法。
【請求項１７】
前記関連情報嗜好度算出ステップでは、前記関連情報のユーザによる選択回数に基づいて前記関連情報嗜好度を算出することを特徴とする請求項１０に記載の動画情報視聴方法。
【請求項１８】
前記視聴可能な動画コンテンツは、放送中のテレビジョン番組、又は、前記動画情報視聴装置に録画したテレビジョン番組であり、
前記関連情報は、商品又はサービスをユーザに紹介する情報であることを特徴とする請求項１０に記載の動画情報視聴方法。
【発明の詳細な説明】
【技術分野】
【０００１】
本発明は、動画コンテンツを再生する動画情報視聴システムに関し、特に、ユーザの嗜好度に基づいて動画コンテンツに関連する関連情報を表示する動画情報視聴システムに関する。
【背景技術】
【０００２】
デジタル放送によって、テレビジョン放送と独立したデータ放送を視聴可能な動画データ視聴装置が知られている。データ放送には、天気予報及び交通情報等の一般情報、並びに、料理番組のレシピ及びクイズ番組中の投票等の番組連動情報が含まれる。
【０００３】
ユーザは、動画コンテンツの視聴中に、データ放送を表示するためにリモコン等を操作すると、動画データ視聴装置は、例えば動画コンテンツの表示領域を縮小して、空いた領域にデータ放送を表示する。ユーザは、データ放送によって、日々の暮らしに役立つデータ、及び視聴中の動画コンテンツに関連するデータを入手できる。
【０００４】
しかし、動画コンテンツ中に対して付加可能なデータ放送の数には制限があり、動画コンテンツに付加されるデータ放送はユーザの嗜好に合わない可能性がある。
【０００５】
デジタル放送の動画コンテンツの関連情報をサーバから受信端末に提供する提供方式において、サーバでは、関連情報を情報内容による取捨選択を行わずに受信端末側に提供し、受信端末ではユーザの嗜好情報を基に関連情報を選択する技術が知られている（例えば、特許文献１参照）。
【先行技術文献】
【特許文献】
【０００６】
【特許文献１】特開２００２−２３２３７２号公報
【発明の概要】
【発明が解決しようとする課題】
【０００７】
特許文献１に記載された方式では、サーバは受信端末の嗜好情報を保持しないので、サーバが受信端末に提供する関連情報にはユーザの嗜好に合う関連情報が含まれることを担保できない。
【０００８】
また、受信端末が関連情報を取捨選択する場合、受信端末は、関連情報に関するユーザの嗜好情報のみを用い、動画コンテンツに関するユーザの嗜好情報を用いない。
【０００９】
このため、ユーザが動画コンテンツを指定しても、指定された動画コンテンツに関するユーザの嗜好が反映された関連情報に提示されない。
【００１０】
本発明は、動画コンテンツに関するユーザの嗜好情報と動画コンテンツの関連情報に関するユーザの嗜好情報とを融合した嗜好情報に基づいて関連情報を提示する動画情報視聴システムを提供することを目的とする。
【課題を解決するための手段】
【００１１】
本発明の代表的な一例を示せば、ユーザから選択された動画コンテンツを再生する再生制御部を有する動画情報視聴装置を備える動画情報視聴システムにおいて、前記動画情報視聴システムは、前記再生制御部が再生する動画コンテンツを表示する表示部を備え、前記動画情報視聴装置は、ユーザが視聴可能な動画コンテンツから再生対象となる動画コンテンツのユーザによる選択を受け付ける動画コンテンツ選択部と、前記再生対象の動画コンテンツを前記再生制御部に入力する動画コンテンツ入力部と、前記動画コンテンツに関連する少なくとも一つの関連情報が登録された動画コンテンツ関連情報テーブルと、前記動画コンテンツ関連情報テーブルに登録された関連情報を参照し、前記再生対象の動画コンテンツを取得し、前記取得した関連情報を前記再生制御部に入力する動画コンテンツ関連情報入力部と、を備え、前記再生制御部は、前記入力された再生対象の動画コンテンツ及び前記入力された関連情報を前記表示部に表示し、前記動画情報視聴装置は、前記表示部に表示された関連情報のユーザによる選択を受け付ける動画コンテンツ関連情報選択部と、前記動画コンテンツ選択部が前記再生対象の動画コンテンツの選択を受け付けた場合、前記動画コンテンツに関するユーザの嗜好度を示す動画コンテンツ嗜好度を算出する動画コンテンツ嗜好度算出部と、前記動画コンテンツ関連情報選択部が前記関連情報の選択を受け付けた場合、前記関連情報に関するユーザの嗜好度を示す関連情報嗜好度を算出する関連情報嗜好度算出部と、前記動画コンテンツ関連情報算出部によって算出された前記動画コンテンツの嗜好度と前記関連情報嗜好度算出部によって算出された前記関連情報の嗜好度とに基づいて融合嗜好度を算出する融合嗜好度算出部と、を備え、前記再生制御部は、前記再生対象の動画コンテンツに関連する関連情報を、前記融合嗜好度算出部によって算出された融合嗜好度順に表示することを特徴とする。
【発明の効果】
【００１２】
本発明によれば、動画コンテンツに関するユーザの嗜好情報と動画コンテンツの関連情報に関するユーザの嗜好情報とを融合した嗜好情報に基づいて関連情報を提示する動画情報視聴システムを提供できる。
【図面の簡単な説明】
【００１３】
【図１】本発明の第１の実施形態における動画情報視聴装置のハードウェアの構成図である。
【図２】本発明の第１の実施形態の動画情報視聴システムの機能ブロック図である。
【図３】本発明の第１の実施形態の動画コンテンツを表示する表示画面の説明図である。
【図４】本発明の第１の実施形態の動画コンテンツ関連リンク情報の説明図である。
【図５】本発明の第１の実施形態の動画コンテンツ／関連嗜好情報の説明図である。
【図６】本発明の第１の実施形態の動画情報視聴装置によって実行される動画情報視聴処理のフローチャートである。
【図７】本発明の第１の実施形態の関連情報選択処理のフローチャートである。
【図８】本発明の第１の実施形態の更新処理のフローチャートである。
【図９】本発明の第１の実施形態のサーバによって実行される嗜好情報処理のフローチャートである。
【図１０】本発明の第１の実施形態のサーバによって実行される関連リンク情報収集処理のフローチャートである。
【図１１】本発明の第１の実施形態の動画コンテンツ一覧表示画面の説明図である。
【図１２】本発明の第１の実施形態の詳細情報表示画面の説明図である。
【図１３】本発明の第２の実施形態の動画情報視聴システムの機能ブロック図である。
【図１４】本発明の第２の実施形態の動画コンテンツを表示する表示画面の説明図である。
【図１５】本発明の第２の実施形態の動画コンテンツ／シーン関連リンク情報の説明図である。
【図１６】本発明の第２の実施形態の動画コンテンツ／シーン／関連嗜好情報の説明図である。
【図１７】本発明の第２の実施形態の動画情報視聴装置によって実行される動画情報視聴処理のフローチャートである。
【図１８】本発明の第２の実施形態の再生処理のフローチャートである。
【図１９】本発明の第２の実施形態の更新処理のフローチャートである。
【図２０】本発明の第２の実施形態の嗜好情報処理のフローチャートである。
【図２１】本発明の第２の実施形態のサーバによって実行される関連リンク情報収集処理のフローチャートである。
【図２２】本発明の第３の実施形態の動画情報視聴システムの機能ブロック図である。
【図２３】本発明の第３の実施形態の推薦動画コンテンツ／シーン情報の説明図である。
【図２４】本発明の第３の実施形態の動画コンテンツ推薦一覧表示画面２４００の説明図である。
【図２５】本発明の第３の実施形態のキーワード／関連情報推薦一覧表示画面２５００の説明図である。
【図２６】本発明の第３の実施形態の動画情報視聴処理のフローチャートである。
【図２７】本発明の第３の実施形態の動画コンテンツ推薦一覧表示画面生成処理のフローチャートである。
【図２８】本発明の第３の実施形態のキーワード／関連情報推薦一覧表示画面生成処理のフローチャートである。
【発明を実施するための形態】
【００１４】
（第１の実施形態）
以下、本発明の第１の実施形態を図１〜図１２を用いて説明する。
【００１５】
図１は、本発明の第１の実施形態における動画情報視聴装置のハードウェアの構成図である。
【００１６】
本実施形態の動画情報視聴装置は、例えば録画機能付きテレビの例を示し、動画コンテンツ入力装置１００、中央処理装置１０１、入力装置１０２、映像出力装置１０３、音声出力装置１０４、記憶装置１０５、二次記憶装置１０６、及びネットワーク入出力装置１０７を備える。各装置は、バス１０８によって接続され、相互にデータの送受信が可能である。
【００１７】
動画コンテンツ入力装置１００は、動画データが入力されるモジュールである。動画コンテンツ入力装置１００は、例えば、後述する記憶装置１０５又は二次記憶装置１０６に格納されている動画データを読み込むモジュールであり、テレビ放送を受信する場合にはテレビのチューナユニットである。
【００１８】
中央処理装置１０１は、マイクロプロセッサを主体に構成され、記憶装置１０５及び二次記憶装置１０６に格納されるプログラムを実行することによって、本動画情報視聴装置の動作を制御する。
【００１９】
入力装置１０２は、ユーザの操作指示を入力として受け付ける装置であって、例えば、リモコン、キーボード、マウス、又はタッチパネル等である。
【００２０】
映像出力装置１０３は、例えば、ディスプレイアダプタ、及びディスプレイアダプタに接続される液晶パネル又はプロジェクタ等であり、動画コンテンツ入力装置１００に入力された動画データ等を表示する。
【００２１】
音声出力装置１０４は、例えば、サウンドカード及びスピーカ等であり、動画コンテンツ入力装置１００に入力された動画データに含まれる音声を出力する。
【００２２】
記憶装置１０５は、例えば、ランダムアクセスメモリ（ＲＡＭ）等の揮発性のメモリであり、中央処理装置１０１によって実行されるプログラム、本動画情報視聴装置によって処理されるデータ、及び再生される動画データを記憶する。
【００２３】
二次記憶装置１０６は、ＤＶＤ又はＣＤにデータを書き込み可能な光ディスクドライブ、ハードディスク装置、若しくはフラッシュメモリ等の不揮発性メモリであり、中央処理装置１０１によって実行されるプログラム、本動画情報視聴装置において処理されるデータ、及び再生可能な動画データを記憶する。なお、動画コンテンツ入力装置１００に入力された動画データを本動画推薦システムに蓄積しない場合、二次記憶装置１０６を備えなくてもよい。
【００２４】
ネットワーク入出力装置１０７は、例えば、ＬＡＮ（Ｌｏｃａｌ  Ａｒｅａ  Ｎｅｔｗｏｒｋ）カード等のネットワークカードであり、ネットワーク経由で動画コンテンツ及び動画コンテンツの関連情報を取得する。
【００２５】
本発明の動画情報視聴システムは、テレビ以外にも動画データを再生可能なハードディスクレコーダ、ビデオテープレコーダ、パーソナルコンピュータ、又は携帯電話機に適用できる。動画推薦システムがハードディスクレコーダ又はビデオテープレコーダである場合は、前記した構成のうち映像出力装置１０３及び音声出力装置１０４を備えなくてもよい。
【００２６】
図２は、本発明の第１の実施形態の動画情報視聴システムの機能ブロック図である。
【００２７】
本動画情報視聴システムは、動画情報視聴装置と、動画情報視聴装置にネットワークを介してアクセス可能なサーバとからなる。動画情報視聴装置は、ユーザが動画コンテンツを視聴可能な装置であり、サーバは、動画コンテンツの関連情報を動画情報視聴装置に送信する装置である。
【００２８】
サーバの構成については、図１のように図示しないが、中央処理装置、及び記憶装置を備える計算機である。
【００２９】
以下、各機能ブロックは、動画情報視聴装置の中央処理装置１０１及びサーバの中央処理装置によってソフトウェアプログラムとして説明するが、各機能ブロックの少なくとも一部はハードウェアとして実現されてもよい。
【００３０】
まず、動画情報視聴装置の機能ブロックについて説明する。
【００３１】
動画情報視聴装置は、動画コンテンツ選択部２０１、動画コンテンツ入力部２０２、動画コンテンツ関連リンク情報取得部２０３、動画コンテンツ関連情報選択部２０４、動画コンテンツ関連情報入力部２０５、動画コンテンツ関連リンク情報テーブル２０６、再生制御部２０７、映像出力部２０８、動画コンテンツ／関連情報嗜好生成部２０９、動画コンテンツ／関連嗜好情報テーブル２１０、及び嗜好情報送信部２１１を備える。
【００３２】
動画コンテンツ選択部２０１は、視聴可能な動画コンテンツからユーザが視聴する動画コンテンツの指定を受け付け、受け付けた動画コンテンツの指定を再生制御部２０７へ通知する。
【００３３】
動画コンテンツ入力部２０２は、動画コンテンツ選択部２０１が受け付けた指定によって特定される動画コンテンツを動画コンテンツ入力装置１００から再生制御部２０７へ入力する。
【００３４】
動画コンテンツ関連リンク情報取得部２０３は、関連情報を提示するための動画コンテンツ関連リンク情報（図４参照）の取得要求を所定のタイミングでサーバへネットワーク入出力装置１０７を介して送信する。
【００３５】
また、動画コンテンツ関連リンク情報取得部２０３は、動画コンテンツ関連リンク情報の取得要求に基づいてサーバの動画コンテンツ関連リンク情報送信部２１６から送信された動画コンテンツ関連リンク情報をネットワーク入出力装置１０７を介して受信する。そして、動画コンテンツ関連リンク情報取得部２０３は、受信した動画コンテンツ関連リンク情報を動画コンテンツ関連リンク情報テーブル２０６に記憶する。
【００３６】
動画コンテンツ関連情報選択部２０４は、図３に示す表示画面３００の動画コンテンツ関連情報表示領域３０２に表示された関連情報からユーザが詳細の表示を希望する関連情報の指定を受け付け、受け付けた関連情報の指定を再生制御部２０７に通知する。
【００３７】
動画コンテンツ関連情報入力部２０５は、動画コンテンツ選択部２０１が受け付けた指定によって特定される動画コンテンツに関連する関連情報が存在するＵＲＬを示す関連リンク情報を、動画コンテンツ関連リンク情報テーブル２０６を参照して取得し、取得した関連リンク情報を再生制御部２０７に入力する。
【００３８】
また、動画コンテンツ関連情報入力部２０５は、再生制御部２０７が関連情報の詳細情報を表示する場合、関連リンク情報に基づいて関連情報の詳細情報を取得し、取得した関連情報の詳細情報を再生制御部２０７に入力する。
【００３９】
再生制御部２０７は、動画コンテンツ選択部２０１で指定された動画コンテンツの入力を動画コンテンツ入力部２０２へ指示し、また、当該動画コンテンツに対応する関連情報の入力を動画コンテンツ関連情報入力部２０５へ指示する。
【００４０】
そして、再生制御部２０７は、動画コンテンツ入力部２０２から入力された動画コンテンツからコンテンツ再生画像及び再生音声を生成し、動画コンテンツ関連情報入力部２０５から入力された関連情報から関連情報再生画像を生成し、生成したコンテンツ再生画像及び関連情報再生画像を映像出力装置１０３から出力し、生成した再生音声を音声出力装置１０４から出力する。
【００４１】
映像出力部２０８は、図３に示す表示画面３００及びメニュー画面等を出力する。
【００４２】
動画コンテンツ／関連情報嗜好生成部２０９は、動画コンテンツ選択部２０１が受け付けた動画コンテンツの指定に基づいて動画コンテンツキーワード嗜好度、及び動画コンテンツ関連情報選択部２０４が受け付けた動画コンテンツの指定に基づいて動画コンテンツキーワード関連情報嗜好度を算出する。そして、動画コンテンツ／関連情報嗜好生成部２０９は、生成された動画コンテンツキーワード嗜好度及び動画コンテンツキーワード関連情報嗜好度に基づいてキーワード融合嗜好度を算出し、算出した動画コンテンツキーワード嗜好度、動画コンテンツキーワード関連情報嗜好度、及びキーワード融合嗜好度に動画コンテンツ／関連嗜好情報テーブル２１０を更新する。なお、動画コンテンツ／関連嗜好情報テーブル２１０は、図５で詳細を説明する。
【００４３】
嗜好情報送信部２１１は、動画コンテンツ関連嗜好情報をネットワーク入出力装置１０７を介して、サーバの嗜好情報取得部２１２に送信する。
【００４４】
次に、サーバの機能ブロックについて説明する。
【００４５】
サーバは、嗜好情報取得部２１２、動画コンテンツ／関連嗜好情報テーブル２１３、動画コンテンツ関連情報収集部２１４、動画コンテンツ関連リンク情報テーブル２１５、及び動画コンテンツ関連リンク情報送信部１６を備える。
【００４６】
嗜好情報取得部２１２は、動画情報視聴装置の嗜好情報送信部２１１からネットワーク入出力装置１０７を介して送信された動画コンテンツ関連嗜好情報を取得し、取得した動画コンテンツ／関連嗜好情報を動画コンテンツ／関連嗜好情報テーブル２１３として記憶する。
【００４７】
動画コンテンツ関連情報収集部２１４は、嗜好情報取得部２１２が取得した動画コンテンツ／関連嗜好情報に基づいて動画コンテンツ関連リンク情報を収集し、収集した動画コンテンツ関連リンク情報を動画コンテンツ関連リンク情報テーブル２１５として記憶する。
【００４８】
動画コンテンツ関連リンク情報送信部２１６は、動画情報視聴装置の動画コンテンツ関連リンク情報取得部２０３から取得要求に対応する動画コンテンツ関連リンク情報を動画情報視聴装置の動画コンテンツ関連リンク情報取得部２０３に送信する。
【００４９】
図３は、本発明の第１の実施形態の動画コンテンツを表示する表示画面３００の説明図である。
【００５０】
表示画面３００は、動画コンテンツ表示領域３０１及び動画コンテンツ関連情報表示領域３０２を含む。
【００５１】
動画コンテンツ表示領域３０１には動画コンテンツが表示される。図３では、動画コンテンツ表示領域３０１に表示される動画コンテンツは、音楽番組であることを示す。
【００５２】
また、動画コンテンツ関連情報表示領域３０２には、動画コンテンツ表示領域３０１に表示される動画コンテンツに対応する関連情報が表示される。図３の動画コンテンツ関連情報表示領域３０２には、三つの関連情報（関連情報Ａ３０３〜関連情報Ｃ３０５）が表示される。
【００５３】
関連情報Ａ３０３は、動画コンテンツ表示領域３０１に表示される音楽番組に関連する商品を紹介する情報であり、例えば、曲のＣＤの情報、及びライブのチケットの販売情報である。
【００５４】
関連情報Ｂ３０４は、動画コンテンツ表示領域３０１に表示される音楽番組に出演している出演者の情報であり、例えば、出演者のホームページ、及び出演者の関連動画である。
【００５５】
関連情報Ｃ３０５は、動画コンテンツ表示領域３０１に表示される音楽番組のスポンサーを紹介する情報であり、例えば、スポンサーのコマーシャル、及びスポンサーのホームページである。
【００５６】
図４は、本発明の第１の実施形態の動画コンテンツ関連リンク情報の説明図である。
【００５７】
動画コンテンツ関連リンク情報は、動画情報視聴装置が算出したキーワードごとの融合嗜好度に基づいてサーバが各キーワードの関連情報が存在するリンク情報を収集したものである。サーバは、収集した動画関連リンク情報を動画コンテンツ関連リンク情報テーブル２１５として記憶し、収集した動画関連リンク情報を動画情報視聴装置に送信する。動画情報視聴装置は、受信した動画関連リンク情報を動画コンテンツ関連リンク情報テーブル２０６として記憶する。
【００５８】
動画コンテンツ関連リンク情報は、タイトル４０１、動画コンテンツキーワード４０２、及び動画コンテンツ関連リンク情報４０３を含む。
【００５９】
タイトル４０１には、動画コンテンツに放送局が付与した名称が登録される。一般に動画コンテンツの名称は一意であるため、タイトル４０１に登録された名称は動画コンテンツの一意な識別子として利用可能である。動画コンテンツキーワード４０２には、動画コンテンツに含まれるキーワード（例えば、タイトル名、及び出演者名等）が登録される。なお、動画コンテンツキーワード４０２に登録されるキーワードは、ＥＰＧ（Ｅｌｅｃｔｒｏｎｉｃ  Ｐｒｏｇｒａｍ  Ｇｕｉｄｅ：電子番組表）等に含まれる動画コンテンツのテキスト情報から動画情報視聴装置によって抽出される。
【００６０】
また、キーワードは、動画コンテンツに含まれる字幕情報及びテロップ等の文字列に対して、例えば形態素解析及び辞書照合等のテキスト処理を用いて抽出したもの、又は、サーバにおいて手動で入力したものを登録してもよい。
【００６１】
動画コンテンツ関連リンク情報４０３は、動画コンテンツキーワード４０２に登録されたキーワードの関連情報の詳細情報がインターネット上に存在する場所を示す情報（例えば、ＵＲＬ）が登録される。
【００６２】
図５は、本発明の第１の実施形態の動画コンテンツ／関連嗜好情報の説明図である。
【００６３】
動画コンテンツ／関連嗜好情報は、タイトル５０１、動画コンテンツキーワード５０２、動画コンテンツキーワード嗜好度５０３、動画コンテンツキーワード関連情報嗜好度５０４、及びキーワード融合嗜好度５０５を含む。
【００６４】
タイトル５０１及び動画コンテンツキーワード５０２は、図４に示す動画コンテンツ関連リンク情報のタイトル４０１及び動画コンテンツキーワード４０２と同じであるので、説明を省略する。
【００６５】
動画コンテンツキーワード嗜好度５０３には、動画コンテンツに含まれる各キーワードに対するユーザの嗜好の強さを示す数値が登録される。例えば、動画コンテンツ選択部２０１が動画コンテンツの指定を受け付けた場合、指定された動画コンテンツに含まれるキーワードの嗜好度が更新される。
【００６６】
動画コンテンツキーワード関連情報嗜好度５０４には、関連情報に対応するキーワードに対するユーザの嗜好の強さを示す数値が登録される。例えば、動画コンテンツ関連情報選択部２０４が関連情報の指定を受け付けた場合、指定された関連情報に対応するキーワードの嗜好度が更新される。
【００６７】
キーワード融合嗜好度５０５には、動画コンテンツキーワード嗜好度５０３に登録された嗜好度と動画コンテンツキーワード関連情報嗜好度５０４に登録された嗜好度とを融合した値が各キーワードごとに登録される。例えば、キーワード融合嗜好度５０５に登録される嗜好度は、動画コンテンツキーワード嗜好度５０３に登録された嗜好度と動画コンテンツキーワード関連情報嗜好度５０４に登録された嗜好度とを加算した値である。
【００６８】
また、キーワード融合嗜好度５０５に登録される嗜好度は、動画コンテンツキーワード嗜好度５０３に登録された嗜好度と動画コンテンツキーワード関連情報嗜好度５０４に登録された嗜好度とに重み付けをして算出してもよい。具体的には、キーワード融合嗜好度５０５に登録される嗜好度をＣとし、動画コンテンツキーワード嗜好度５０３に登録された嗜好度をＫとし、動画コンテンツキーワード関連情報嗜好度５０４に登録された嗜好度をＲとした場合、Ｃ＝α・Ｋ＋β・Ｒのように算出する。この場合、α及びβの値を変更することによって、動画コンテンツに対する嗜好度及び関連情報に対する嗜好度のいずれを重視するかを変更できる。
【００６９】
なお、各嗜好度の更新方法については図８で詳細を説明する。
【００７０】
図６は、本発明の第１の実施形態の動画情報視聴装置によって実行される動画情報視聴処理のフローチャートである。
【００７１】
動画情報視聴処理は、動画情報視聴装置が動画コンテンツの指定を受け付け、指定された動画コンテンツ及び関連情報を再生する処理であり、動画情報視聴装置の中央処理装置１０１によって周期的に実行される。
【００７２】
まず、動画コンテンツ選択部２０１は、動画コンテンツの指定をユーザから受け付けたか否を判定する（６０１）。
【００７３】
ステップ６０１の処理で動画コンテンツの指定をユーザから受け付けたと判定された場合、動画コンテンツ関連情報入力部２０５は、指定された動画コンテンツに対応する関連情報を選択する関連情報選択処理を実行する（６０２）。関連情報選択処理の詳細は図７で詳細を説明する。
【００７４】
そして、再生制御部２０７は、動画コンテンツ入力部２０２から動画コンテンツの再生画像及び再生音声、並びに動画コンテンツ関連情報入力部２０５から動画コンテンツの関連情報を受け取り、受け取った再生画像及び再生音声並びに関連情報表示データを映像出力部２０８へ入力する（６０３）。
【００７５】
なお、再生制御部２０７は、各関連情報をキーワード融合嗜好度の順に並べて映像出力部２０８に入力する関連情報表示データを生成する。これによって、表示画面３００に表示される関連情報はキーワード融合嗜好度順に並べて表示されることになる。
【００７６】
ここで、ステップ６０１の処理で動画コンテンツの指定をユーザから受け付けていないと判定された場合、動画情報視聴処理を終了する。
【００７７】
映像出力部２０８は、入力された再生画像及び関連情報を映像出力装置１０３に出力するとともに、入力された再生音声を図示しない音声出力装置に出力することによって、動画コンテンツ及び関連情報を出力する（６０４）。これによって、図３に示す表示画面３００が映像出力装置１０３に表示される。
【００７８】
次に、動画コンテンツ関連情報選択部２０４は、図３に示す表示画面３００の動画コンテンツ関連情報表示領域３０２に表示された関連情報がユーザによって選択されたことを示す関連情報の指定を受け付けたか否かを判定する（６０５）。
【００７９】
ステップ６０５の処理で関連情報の指定を受け付けたと判定された場合、動画コンテンツ関連情報入力部２０５は、指定された関連情報の詳細情報を取得する（６０６）。
【００８０】
具体的には、動画コンテンツ関連情報入力部２０５は、指定された関連情報の関連リンク情報が示すＷｅｂページ等の情報にネットワーク入出力装置１０７を介してアクセスし、指定された関連情報の詳細情報を取得する。
【００８１】
そして、動画コンテンツ関連情報入力部２０５は、ステップ６０６の処理で取得した関連情報の詳細情報を再生制御部２０７へ入力する（６０７）。
【００８２】
なお、再生制御部２０７は、関連情報の詳細情報が入力されると、入力された関連情報の詳細情報を表示する。なお、表示方法については図１１及び図１２で詳細を説明する。
【００８３】
次に、動画コンテンツ／関連情報嗜好生成部２０９は、動画コンテンツの指定及び関連情報の指定の少なくとも一方に基づいて、動画コンテンツ／関連嗜好情報テーブル２１０を更新する更新処理を実行する（６０８）。なお、更新処理は、図８で詳細を説明する。
【００８４】
一方、ステップ６０５の処理で、関連情報の指定を受け付けていないと判定された場合、ステップ６０６及び６０７の処理を実行せずに、ステップ６０８の処理に進む。
【００８５】
次に、嗜好情報送信部２１１は、動画コンテンツ／関連嗜好情報テーブル２１０で更新された動画コンテンツ／関連嗜好情報を送信する所定のタイミングに達したか否かを判定する（６０９）。例えば、動画コンテンツ／関連嗜好情報は一日に一回サーバに送信される場合、ステップ６０９の処理で、嗜好情報送信部２１１は、前回の送信タイミングから２４時間経過しているか否かを判定する。
【００８６】
ステップ６０９の処理で、所定のタイミングに達していないと判定された場合、動画コンテンツ／関連嗜好情報を送信せずに動画情報視聴処理を終了する。
【００８７】
一方、ステップ６０９の処理で、所定のタイミングに達したと判定された場合、嗜好情報送信部２１１は、ステップ６０８の処理で更新された動画コンテンツ／関連嗜好情報を送信し（６１０）、動画情報視聴処理を終了する。
【００８８】
図７は、本発明の第１の実施形態の関連情報選択処理のフローチャートである。
【００８９】
関連情報選択処理は、前述したように動画コンテンツ関連情報入力部２０５による処理である。
【００９０】
まず、動画コンテンツ関連情報入力部２０５は、指定された動画コンテンツに含まれるキーワードから、図３に示す動画コンテンツ関連情報表示領域３０２に表示される関連情報の数分のキーワードを、融合嗜好度が高い順に選択する（７０１）。
【００９１】
具体的には、動画コンテンツ関連情報入力部２０５は、図５に示す動画コンテンツ／関連嗜好情報テーブル２１０の指定された動画コンテンツの名称とタイトル５０１に登録された名称とが一致するエントリを抽出する。そして、動画コンテンツ関連情報入力部２０５は、抽出したエントリの動画コンテンツキーワード５０２に登録されたキーワードから、動画コンテンツ関連情報表示領域３０２に表示される関連情報の数分のキーワードをキーワード融合嗜好度５０５に登録された嗜好度が高い順に選択する。
【００９２】
次に、動画コンテンツ関連情報入力部２０５は、図４に示す動画コンテンツ関連リンク情報テーブル２０６を参照し、ステップ７０１の処理で選択されたキーワードに対応する関連リンク情報を取得する（７０２）。
【００９３】
具体的には、動画コンテンツ関連情報入力部２０５は、動画コンテンツ関連リンク情報テーブル２０６に登録されたエントリのうち、指定された動画コンテンツの名称とタイトル４０１に登録された動画コンテンツの名称とが一致するエントリを抽出する。そして、動画コンテンツ関連情報入力部２０５は、抽出したエントリのうち、ステップ７０１の処理で選択されたキーワードと動画コンテンツキーワード４０２に登録されたキーワードとが一致するエントリを抽出する。そして、動画コンテンツ関連情報入力部２０５は、抽出したエントリの動画コンテンツ関連リンク情報４０３に登録された関連リンク情報を、ステップ８０１の処理で選択されたキーワードに対応する関連リンク情報として取得する。
【００９４】
次に、動画コンテンツ関連情報入力部２０５は、ステップ７０２の処理で取得された関連リンク情報を再生制御部２０７へ入力し（７０３）、関連情報選択処理を終了する。
【００９５】
図８は、本発明の第１の実施形態の更新処理のフローチャートである。
【００９６】
更新処理は前述したように動画コンテンツ／関連情報嗜好生成部２０９における処理である。
【００９７】
まず、動画コンテンツ／関連情報嗜好生成部２０９は、ステップ６０１の処理の判定結果が動画コンテンツの指定を受け付けたことを示すか否かを判定する（８０１）。
【００９８】
ステップ６０１の処理の判定結果が動画コンテンツの指定を受け付けたことを示すとステップ８０１の処理で判定された場合、動画コンテンツ／関連情報嗜好生成部２０９は、指定された動画コンテンツの動画コンテンツキーワード嗜好度５０３に登録された嗜好度を更新する（８０２）。
【００９９】
具体的には、動画コンテンツ／関連情報嗜好生成部２０９は、動画コンテンツ／関連嗜好情報テーブル２１０に登録されたエントリのうち、指定された動画コンテンツの名称とタイトル５０１に登録された登録された動画コンテンツの名称とが一致するエントリを抽出する。そして、動画コンテンツ／関連情報嗜好生成部２０９は、抽出したエントリのうち、指定された動画コンテンツに含まれるキーワードと動画コンテンツキーワード５０２に登録されたキーワードとが一致するエントリを抽出する。そして、動画コンテンツ／関連情報嗜好生成部２０９は、抽出したエントリの動画コンテンツキーワード嗜好度５０３に登録された嗜好度に所定値を加算する。
【０１００】
ここで、動画コンテンツの指定とはユーザが動画コンテンツを選択することであるが、当該選択には、動画コンテンツの視聴、録画予約、録画、および再生等の種々の選択が含まれる。このため、動画コンテンツキーワード嗜好度５０３に加算される所定値には、選択の種類に応じて種々の値を設定してもよい。
【０１０１】
ステップ６０１の処理の判定結果が動画コンテンツの指定を受け付けたことを示さないとステップ８０１の処理で判定された場合、動画コンテンツ／関連情報嗜好生成部２０９は、ステップ８０２の処理を実行せずに、ステップ８０３の処理に進む。
【０１０２】
次に、動画コンテンツ／関連情報嗜好生成部２０９は、ステップ６０５の処理の判定結果が関連情報の指定を受け付けたことを示すか否かを判定する（８０３）。
【０１０３】
ステップ６０５の処理の判定結果が関連情報の指定を受け付けたことを示すとステップ８０３の処理で判定された場合、動画コンテンツ／関連情報嗜好生成部２０９は、指定された関連情報のキーワードの動画コンテンツキーワード関連情報嗜好度５０４に登録された嗜好度を更新する（８０４）。
【０１０４】
具体的には、動画コンテンツ／関連情報嗜好生成部２０９は、動画コンテンツ／関連嗜好情報テーブル２１０に登録されたエントリのうち、指定された関連情報の表示中に再生されている動画コンテンツの名称とタイトル５０１に登録された動画コンテンツの名称とが一致するエントリを抽出する。そして、動画コンテンツ／関連情報嗜好生成部２０９は、抽出したエントリのうち、指定された関連情報に対応するキーワードと動画コンテンツキーワード５０２に登録されたキーワードとが一致するエントリを抽出する。そして、動画コンテンツ／関連情報嗜好生成部２０９は、抽出したエントリの動画コンテンツキーワード関連情報嗜好度５０４に登録された嗜好度に所定値を加算する。
【０１０５】
なお、指定された関連情報に対応するキーワードは、動画コンテンツ／関連情報嗜好生成部２０９が図４に示す動画コンテンツ関連リンク情報テーブル２０６を参照することによって取得可能である。
【０１０６】
具体的には、動画コンテンツ／関連情報嗜好生成部２０９は、動画コンテンツ関連リンク情報テーブル２０６に登録されたエントリのうち、指定された関連情報の表示中に再生されている動画コンテンツの名称とタイトル４０１に登録された動画コンテンツの名称とが一致するエントリを抽出する。そして、動画コンテンツ／関連情報嗜好生成部２０９は、抽出したエントリのうち、指定された関連情報の関連リンク情報と動画コンテンツ関連リンク情報４０３に登録された関連リンク情報とが一致するエントリを抽出する。次に、動画コンテンツ／関連情報嗜好生成部２０９は、抽出したエントリの動画コンテンツキーワード４０２に登録されたキーワードを、指定された関連情報に対応するキーワードとして抽出する。
【０１０７】
一方、ステップ６０５の処理の判定結果が関連情報の指定を受け付けたことを示さないとステップ８０３の処理で判定された場合、動画コンテンツ／関連情報嗜好生成部２０９は、ステップ８０４の処理を実行せずに、ステップ８０５の処理に進む。
【０１０８】
次に、動画コンテンツ／関連情報嗜好生成部２０９は、ステップ８０２及び８０４の処理の少なくとも一方で更新されたキーワードのキーワード融合嗜好度５０５に登録された嗜好度を更新し（８０５）、更新処理を終了する。
【０１０９】
具体的には、動画コンテンツ／関連情報嗜好生成部２０９は、動画コンテンツ／関連嗜好情報テーブル２１０のエントリのうち、動画コンテンツキーワード嗜好度５０３に登録された嗜好度が更新されたエントリ、及び、動画コンテンツキーワード関連情報嗜好度５０４に登録された嗜好度が更新されたエントリを抽出する。そして、動画コンテンツ／関連情報嗜好生成部２０９は、抽出したエントリの動画コンテンツキーワード嗜好度５０３に登録された嗜好度及び動画コンテンツキーワード関連情報嗜好度５０４に登録された嗜好度に基づいて融合嗜好度を算出し、算出した融合嗜好度をキーワード融合嗜好度５０５に登録する。
【０１１０】
図９は、本発明の第１の実施形態のサーバによって実行される嗜好情報処理のフローチャートである。
【０１１１】
嗜好情報処理は、動画情報視聴装置から送信された動画コンテンツ／関連嗜好情報に基づいて、ユーザの嗜好度に適合した関連情報のリンクを動画情報視聴装置に送信する処理であり、サーバの図示しない中央処理装置によって実行される。
【０１１２】
まず、嗜好情報取得部２１２は、動画情報視聴装置から送信された動画コンテンツ／関連嗜好情報を受信したか否かを判定する（９０１）。
【０１１３】
ステップ９０１の処理で、動画コンテンツ／関連嗜好情報を受信したと判定された場合、嗜好情報取得部２１２は、受信した動画コンテンツ／関連嗜好情報を動画コンテンツ／関連嗜好情報テーブル２１３に記憶する（９０２）。
【０１１４】
一方、ステップ９０１の処理で、動画コンテンツ／関連嗜好情報を受信していないと判定された場合、嗜好情報処理を終了する。
【０１１５】
次に、動画コンテンツ関連情報収集部２１４は、受信した動画コンテンツ／関連嗜好情報に基づいて関連リンク情報を収集する関連リンク情報収集処理を実行する（９０３）。関連リンク情報収集処理は図１０で詳細を説明する。
【０１１６】
そして、動画コンテンツ関連情報収集部２１４は、ステップ９０３の処理で収集した関連リンク情報を動画コンテンツ関連リンク情報テーブル２１５に記憶する（９０４）。
【０１１７】
そして、動画コンテンツ関連リンク情報送信部２１６は、ステップ９０３の処理で収集した関連リンク情報を動画情報視聴装置へ送信し（９０５）、嗜好情報処理を終了する。
【０１１８】
図１０は、本発明の第１の実施形態のサーバによって実行される関連リンク情報収集処理のフローチャートである。
【０１１９】
まず、動画コンテンツ関連情報収集部２１４は、受信した動画コンテンツ関連嗜好情報に含まれるキーワードに対応する関連情報が存在するＷｅｂページ等のリンク（関連リンク情報）をインターネット上から検索する（１００１）。
【０１２０】
次に、動画コンテンツ関連情報収集部２１４は、ステップ１００１で検索されたキーワードに対応する関連リンク情報から、当該キーワードの融合嗜好度に対応する数の関連リンク情報を収集する（１００２）。
【０１２１】
ここで、キーワードの融合嗜好度に対応する数は予め設定されており、融合嗜好度が大きいほど、収集される関連リンク情報の数が多くなるように設定される。
【０１２２】
したがって、サーバは、融合嗜好度が大きなキーワードほど多くの関連リンク情報を収集できる。
【０１２３】
以上のように、サーバがユーザの動画コンテンツの嗜好度及び関連情報の嗜好度を融合した融合嗜好度に基づいて関連リンク情報を収集するので、ユーザの動画コンテンツの嗜好度も加味した関連情報を動画情報視聴装置に提供できる。
【０１２４】
図１１は、本発明の第１の実施形態の動画コンテンツ一覧表示画面１１００の説明図である。
【０１２５】
図３では、動画コンテンツの再生中に関連情報が表示される場合について説明したが、関連情報が表示されるのは、動画コンテンツの再生中に限定されるものではなく、例えば、動画コンテンツの一覧の表示中に関連情報が表示されてもよい。
【０１２６】
動画コンテンツ一覧表示画面１１００は、ユーザによる所定の操作を受け付けた場合に表示され、視聴可能な動画コンテンツを表示する画面である。動画コンテンツ一覧表示画面１１００は、動画コンテンツ一覧表示領域１１０１及び動画コンテンツ関連情報表示領域１１０２を含む。なお、動画コンテンツ一覧表示領域１１０１及び動画コンテンツ関連情報表示領域１１０２上には、ユーザのリモコン及びマウス等の操作に基づいて当該表示領域上をカーソルが移動表示される。
【０１２７】
動画コンテンツ一覧表示領域１１０１には、視聴可能な動画コンテンツのタイトルの一覧が表示される。また、動画コンテンツ関連情報表示領域１１０２には、動画コンテンツ一覧表示領域１１０１に表示された動画コンテンツのタイトルのうちカーソルによって選択された動画コンテンツ（タイトルＡ）の関連情報が表示される。
【０１２８】
そして、動画コンテンツ関連情報表示領域１１０２に表示された関連情報のうち一つの関連情報がカーソルによって選択された場合には、選択された関連情報の詳細情報表示画面１１０３が表示される。
【０１２９】
図１２は、本発明の第１の実施形態の詳細情報表示画面１１０３の説明図である。
【０１３０】
詳細情報表示画面１１０３は、ユーザの意思を取得可能な表示領域であるユーザ意思取得領域１２０１を含む。
【０１３１】
図１２に示す詳細情報表示画面１１０３は、図１１に示す動画コンテンツ関連情報表示領域１１０２で関連情報Ａが選択された場合に表示される画面である。具体的には、詳細情報表示画面１１０３は、タイトルＡの音楽番組が選択された場合に動画コンテンツ関連情報表示領域１１０２に表示された関連情報から、あるアーティストのアルバムの商品紹介をするＷｅｂページの関連リンク情報を示す関連情報Ａが選択され、あるアーティストのアルバムの商品紹介をするＷｅｂページの表示画面である。
【０１３２】
ここで、ユーザ意思取得領域１２０１は、購入ボタン１２０２及び前画面戻りボタン１２０３を含む。
【０１３３】
購入ボタン１２０２がカーソルによって選択された場合、動画情報視聴装置には、詳細情報表示画面１１０３で紹介された商品をユーザが購入する旨が入力され、動画情報視聴装置は、ユーザの個人情報（ユーザの名前、住所、及びユーザＩＤ等）を当該商品の提供先へ送信する。また、前画面戻りボタン１２０３がカーソルによって選択された場合、動画情報視聴装置は、詳細情報表示画面１１０３を消去して、図１１に示す動画コンテンツ一覧表示画面１１００を表示する。
【０１３４】
以上によって、本実施形態では、動画情報視聴装置が、キーワード融合嗜好度順に関連情報を並べて表示するので、ユーザの動画コンテンツの嗜好度及びユーザの関連情報の嗜好度に適応した関連情報を表示できる。
【０１３５】
また、サーバは、キーワード融合嗜好度に基づいて関連リンク情報を収集するので、ユーザの動画コンテンツの嗜好度及びユーザの関連情報の嗜好度に適応した関連情報をユーザに提供できる。このため、本実施形態では、ユーザの本来の嗜好度に適応した関連情報を表示することができる。
【０１３６】
さらに、サーバは、関連リンク情報を収集する場合、キーワード融合嗜好度に対応した数の関連リンク情報を収集するため、ユーザの嗜好度の高いキーワードの関連情報をより多く提供できる。
【０１３７】
（第２の実施形態）
本発明の第２の実施形態を図１３〜図２１を用いて説明する。
【０１３８】
本実施形態は、コンテンツ中のキーワードが出現する再生位置（シーン）に達すると当該キーワードに対応する関連情報を表示する実施形態である。
【０１３９】
図１３は、本発明の第２の実施形態の動画情報視聴システムの機能ブロック図である。なお、本実施形態の動画情報視聴システムに備わる機能ブロックのうち第１の実施形態の図２に示す機能ブロックと同じ機能ブロックは、同じ符号を付与し、説明を省略する。
【０１４０】
動画情報視聴システムに備わる動画情報視聴装置は、動画コンテンツ選択部２０１、動画コンテンツ入力部２０２、映像出力部２０８、動画コンテンツ／シーン関連リンク情報取得部１３０１、動画コンテンツ／シーン関連情報選択部１３０２、動画コンテンツ／シーン関連情報入力部１３０３、動画コンテンツ／シーン関連リンク情報テーブル１３０４、再生制御部１３０５、キーワード指定部１３０６、動画コンテンツ／シーン／関連情報嗜好生成部１３０７、動画コンテンツ／シーン／関連嗜好情報テーブル１３０８、及び嗜好情報送信部１３０９を備える。
【０１４１】
動画コンテンツ／シーン関連リンク情報取得部１３０１は、関連情報を提示するための動画コンテンツ／シーン関連リンク情報（図１５参照）の取得要求を所定のタイミングでサーバへネットワーク入出力装置１０７を介して送信する。
【０１４２】
また、動画コンテンツ関連リンク情報取得部１３０１は、動画コンテンツ／シーン関連リンク情報の取得要求に基づいてサーバの動画コンテンツ／シーン関連リンク情報送信部１３１４から送信された動画コンテンツ／シーン関連リンク情報をネットワーク入出力装置１０７を介して受信する。そして、動画コンテンツ／シーン関連リンク情報取得部１３０１は、受信した動画コンテンツ／シーン関連リンク情報を動画コンテンツ／シーン関連リンク情報テーブル１３０４に記憶する。
【０１４３】
動画コンテンツ／シーン関連情報選択部１３０２は、図１４に示す表示画面１４００の動画コンテンツ関連情報表示領域３０２に表示された関連情報からユーザが詳細の表示を希望する関連情報の指定を受け付け、受け付けた関連情報の指定を再生制御部２０７に通知する。
【０１４４】
動画コンテンツ／シーン関連情報入力部１３０３は、動画コンテンツ選択部２０１で指定された動画コンテンツに関連する関連情報が存在するＵＲＬを示す関連リンク情報を、動画コンテンツ／シーン関連リンク情報テーブル１３０４を参照して取得し、取得した関連リンク情報を再生制御部１３０５に入力する。
【０１４５】
また、動画コンテンツ／シーン関連情報入力部１３０３は、再生制御部１３０５が関連情報の詳細情報を表示する場合、関連リンク情報に基づいて関連情報の詳細情報を取得し、取得した関連情報の詳細情報を再生制御部１３０５に入力する。
【０１４６】
再生制御部１３０５は、動画コンテンツ選択部２０１で指定された動画コンテンツの入力を動画コンテンツ入力部２０２へ指示し、また、当該動画コンテンツに対応する関連情報の入力を動画コンテンツ／シーン関連情報入力部１３０３へ指示する。
【０１４７】
そして、再生制御部１３０５は、動画コンテンツ入力部２０２から入力された動画コンテンツからコンテンツ再生画像及び再生音声を生成し、動画コンテンツ／シーン関連情報入力部１３０３から入力された関連情報から関連情報再生画像を生成し、生成したコンテンツ再生画像及び関連情報再生画像を映像出力装置１０３から出力し、生成した再生音声を音声出力装置１０４から出力する。
【０１４８】
キーワード指定部１３０６は、図１４に示す表示画面１４００のキーワード表示領域１４０１を介してキーワードの指定を受け付ける。
【０１４９】
動画コンテンツ／シーン／関連情報嗜好生成部１３０７は、動画コンテンツ選択部２０１が受け付けた動画コンテンツの指定、及びキーワード指定部１３０６が受け付けたキーワードの指定に基づいて動画コンテンツ／シーンキーワード嗜好度、並びに動画コンテンツ／シーン関連情報選択部１３０２が受け付けた動画コンテンツの指定に基づいて動画コンテンツキーワード関連情報嗜好度を算出する。そして、動画コンテンツ／シーン関連情報嗜好生成部１３０７は、生成された動画コンテンツ／シーンキーワード嗜好度及び動画コンテンツキーワード関連情報嗜好度に基づいてキーワード融合嗜好度を算出し、算出した動画コンテンツ／シーンキーワード嗜好度、動画コンテンツキーワード関連情報嗜好度、及びキーワード融合嗜好度に動画コンテンツ／シーン／関連嗜好情報テーブル１３０８を更新する。なお、動画コンテンツ／シーン／関連嗜好情報テーブル１３０８は、図１６で詳細を説明する。
【０１５０】
嗜好情報送信部１３０９は、動画コンテンツ／シーン／関連嗜好情報をネットワーク入出力装置１０７を介して、サーバの嗜好情報取得部１３１０に送信する。
【０１５１】
動画情報視聴システムに備わるサーバは、嗜好情報取得部１３１０、動画コンテンツ／シーン／関連嗜好情報テーブル１３１１、動画コンテンツ／シーン関連情報収集部１３１２、動画コンテンツ／シーン関連リンク情報テーブル１３１３、及び動画コンテンツ／シーン関連リンク情報送信部１３１４を備える。
【０１５２】
嗜好情報取得部１３１０は、動画情報視聴装置の嗜好情報送信部１３０９からネットワーク入出力装置１０７を介して送信された動画コンテンツ／シーン／関連嗜好情報を取得し、取得した動画コンテンツ／シーン／関連嗜好情報を動画コンテンツ／シーン／関連嗜好情報テーブル１３１１に記憶する。
【０１５３】
動画コンテンツ／シーン関連情報収集部１３１２は、嗜好情報取得部１３１０が取得した動画コンテンツ／シーン／関連嗜好情報に基づいて関連リンク情報を収集し、収集した関連リンク情報を動画コンテンツ／シーン関連リンク情報テーブル１３１３として記憶する。
【０１５４】
動画コンテンツ／シーン関連リンク情報送信部１３１４は、動画情報視聴装置の動画コンテンツ／シーン関連リンク情報取得部１３０１から送信された取得要求に対応する関連リンク情報を動画情報視聴装置の動画コンテンツ／シーン関連リンク情報取得部１３０１に送信する。
【０１５５】
図１４は、本発明の第２の実施形態の動画コンテンツを表示する表示画面１４００の説明図である。なお、本実施形態の表示画面１４００の表示領域のうち第１の実施形態の図３に示す表示画面３００と同じ表示領域は、同じ符号を付与し、説明を省略する。
【０１５６】
表示画面１４００は、動画コンテンツ表示領域３０１及び動画コンテンツ関連情報表示領域３０２を含む。
【０１５７】
動画コンテンツ表示領域３０１はキーワード表示領域１４０１を含む。キーワード表示領域１４０１には、再生中の動画コンテンツに含まれるキーワードが表示される。
【０１５８】
キーワード表示領域１４０１に表示されるいずれかのキーワードが選択された場合、選択されたキーワードに対応する再生位置の動画コンテンツが動画コンテンツ表示領域３０１に表示され、また、選択されたキーワードに対応する関連情報が動画コンテンツ関連情報表示領域３０２の最上位に表示される。
【０１５９】
図１４では、キーワードＡが選択され、キーワードＡに対応する動画コンテンツが動画コンテンツ表示領域３０１に表示され、キーワードＡに対応する関連情報が最上位に表示される。
【０１６０】
図１５は、本発明の第２の実施形態の動画コンテンツ／シーン関連リンク情報の説明図である。なお、本実施形態の動画コンテンツ／シーン関連リンク情報の要素のうち第１の実施形態の図４に示す動画コンテンツ関連リンク情報と同じ要素は、同じ符号を付与し説明を省略する。
【０１６１】
動画コンテンツ／シーン関連リンク情報は、タイトル４０１、動画コンテンツ／シーンキーワード１５０２、動画コンテンツ／シーン関連リンク情報１５０３、及びキーワード出現位置１５０４を含む。
【０１６２】
動画コンテンツ／シーンキーワード１５０２には、例えばＥＰＧ等から取得される動画コンテンツのタイトル名及び出演者名等のキーワードのほかに、動画コンテンツに含まれる字幕情報及びテロップ等から抽出される動画コンテンツの再生位置に関するキーワードが登録される。このシーンキーワードは、字幕情報及びテロップ等の文字列に対して、例えば形態素解析及び辞書照合等のテキスト処理を用いることによって抽出される。
【０１６３】
なお、動画コンテンツ／シーンキーワード１５０２には、動画コンテンツの再生位置に対してユーザが入力したキーワードが登録されてもよい。
【０１６４】
動画コンテンツ／シーン関連リンク情報１５０３には、動画コンテンツ／シーンキーワード１５０２に登録されたキーワードに登録された関連情報のリンク先が登録される。
【０１６５】
キーワード出現位置１５０４は、動画コンテンツ／シーンキーワード１５０２に登録されたキーワードの再生位置を示す再生位置情報が登録される。キーワード出現位置１５０４に登録される再生位置情報は、例えば、動画コンテンツの開始からの経過時間等である。
【０１６６】
図１６は、本発明の第２の実施形態の動画コンテンツ／シーン／関連嗜好情報の説明図である。なお、動画コンテンツ／シーン／関連嗜好情報の要素のうち第１の実施形態の図５に示す動画コンテンツ／関連嗜好情報と同じ要素は、同じ符号を付与し、説明を省略する。
【０１６７】
動画コンテンツ／シーン／関連嗜好情報は、タイトル５０１、動画コンテンツ／シーンキーワード１６０２、動画コンテンツ／シーンキーワード嗜好度１６０３、動画コンテンツキーワード関連情報嗜好度５０４、キーワード融合嗜好度５０５、及びキーワード出現位置１６０６を含む。
【０１６８】
動画コンテンツ／シーンキーワード１６０２は、図１５に示す動画コンテンツ／シーンキーワード１５０２と同じであるので、説明を省略する。また、キーワード出現位置１６０６は、図１５に示すキーワード出現位置と同じであるので、説明を省略する。
【０１６９】
動画コンテンツ／シーンキーワード嗜好度１６０３は、動画コンテンツに含まれる各キーワードに対するユーザの嗜好の強さを示す数値が登録される。動画コンテンツ選択部２０１が動画コンテンツの指定を受け付けた場合、指定された動画コンテンツに含まれるキーワードの動画コンテンツ／シーンキーワード嗜好度が更新される。また、キーワード指定部１３０６がキーワードの指定を受け付けた場合、指定されたキーワードの動画コンテンツ／シーンキーワード嗜好度が更新される。
【０１７０】
図１７は、本発明の第２の実施形態の動画情報視聴装置によって実行される動画情報視聴処理のフローチャートである。なお、動画情報視聴処理に含まれる処理のうち第１の実施形態の図６に示す動画情報視聴処理と同じ処理は、同じ符号を付与し、説明を省略する。
【０１７１】
まず、動画コンテンツ選択部２０１は、動画コンテンツの指定をユーザから受け付けたか否を判定する（６０１）。
【０１７２】
ステップ６０１の処理で動画コンテンツの指定をユーザから受け付けたと判定された場合、動画コンテンツ／シーン関連情報入力部１３０３は、指定された動画コンテンツに対応する関連情報を選択する関連情報選択処理を実行する（１７０１）。関連情報選択処理の詳細は第１の実施形態の図７に示す関連情報選択処理と同じであるので、説明を省略する。
【０１７３】
次に、動画コンテンツ選択部２０１は、指定された動画コンテンツに含まれるキーワードを取得する（１７０２）。具体的には、動画コンテンツ選択部２０１は、例えば、図１６に示す動画コンテンツ／シーン／関連嗜好情報テーブル１３０８に登録されたエントリのうち、指定された動画コンテンツの名称とタイトル５０１に登録された動画コンテンツの名称とが一致するエントリを抽出する。そして、動画コンテンツ選択部２０１は、抽出したエントリの動画コンテンツ／シーンキーワード１６０２に登録されたキーワードを取得する。
【０１７４】
なお、動画コンテンツ選択部２０１は、図１５に示す動画コンテンツ／シーン関連リンク情報テーブル１３０４を参照して、指定された動画コンテンツに含まれるキーワードを取得してもよい。
【０１７５】
ここで、ステップ６０１の処理で動画コンテンツの指定をユーザから受け付けていないと判定された場合、動画情報視聴処理を終了する。
【０１７６】
そして、再生制御部２０７は、表示される動画コンテンツの再生画像及び再生音声を生成し、表示される関連情報及びキーワードを取得し、生成された再生画像及び再生音声、並びに取得した関連情報及びキーワードを映像出力部２０８へ入力する再生処理を実行する（１７０３）。なお、再生処理は、図１８で詳細を説明する。
【０１７７】
次に、映像出力部２０８は、入力された再生画像、関連情報、及びキーワードを映像出力装置１０３に出力するとともに、入力された再生音声を図示しない音声出力装置に出力することによって、動画コンテンツ及び関連情報を出力する（１７０４）。これによって、図１４に示す表示画面１４００が映像出力装置１０３に表示される。
【０１７８】
次に、動画コンテンツ／シーン関連情報選択部１３０２は、図１４に示す表示画面１４００の動画コンテンツ関連情報表示領域３０２に表示された関連情報がユーザによる指定を受け付けたか否かを判定する（１７０５）。
【０１７９】
ステップ１７０５の処理で関連情報の指定を受け付けたと判定された場合、動画コンテンツ／シーン関連情報入力部１３０３は、指定された関連情報の詳細情報を取得する（１７０６）。ステップ１７０６の処理の詳細は図６に示すステップ６０６の処理と同じであるので、説明を省略する。
【０１８０】
そして、動画コンテンツ／シーン関連情報入力部１３０３は、ステップ１７０６の処理で取得した関連情報の詳細情報を再生制御部１３０５へ入力する（１７０７）。
【０１８１】
なお、再生制御部１３０５は、関連情報の詳細情報が入力されると、入力された関連情報の詳細情報を表示する。
【０１８２】
次に、動画コンテンツ／シーン／関連情報嗜好生成部１３０７は、動画コンテンツの指定、キーワードの指定及び関連情報の指定の少なくとも一方に基づいて、動画コンテンツ／シーン／関連嗜好情報テーブル１３０８を更新する更新処理を実行する（１７０８）。なお、更新処理は、図１９で詳細を説明する。
【０１８３】
一方、ステップ１７０５の処理で、関連情報の指定を受け付けていないと判定された場合、ステップ１７０６及び１７０７の処理を実行せずに、ステップ１７０８の処理に進む。
【０１８４】
次に、嗜好情報送信部１３０９は、動画コンテンツ／シーン／関連嗜好情報テーブル１３０８で更新された動画コンテンツ／シーン／関連嗜好情報を送信する所定のタイミングに達したか否かを判定する（１７０９）。
【０１８５】
ステップ１７１０の処理で、所定のタイミングに達していないと判定された場合、動画コンテンツ／シーン／関連嗜好情報を送信せずに動画情報視聴処理を終了する。
【０１８６】
一方、ステップ１７０９の処理で、所定のタイミングに達したと判定された場合、嗜好情報送信部１３０９は、ステップ１７０８の処理で更新された動画コンテンツ／関連嗜好情報を送信し（１７１０）、動画情報視聴処理を終了する。
【０１８７】
図１８は、本発明の第２の実施形態の再生処理のフローチャートである。
【０１８８】
まず、再生制御部１３０５は、動画コンテンツ入力部２０２から再生する動画コンテンツを取得する（１８０１）。
【０１８９】
次に、キーワード指定部１３０６は、ユーザによるキーワードの指定を受け付けたか否かを判定する（１８０２）。なお、ユーザが入力装置１０２を操作して、図１４に示すキーワード表示領域１４０２に表示されたキーワードを選択することによって、キーワードは指定される。
【０１９０】
ステップ１８０２の処理で、ユーザによるキーワードの指定を受け付けたと判定された場合、再生制御部１３０５は、指定されたキーワードに対応する再生画像及び再生音声を生成する（１８０３）。
【０１９１】
具体的には、再生制御部１３０５は、動画コンテンツ／シーン／関連嗜好情報テーブル１３０８に登録されたエントリのうち、指定されたキーワードと動画コンテンツ／シーンキーワード１６０２に登録されたキーワードとが一致するエントリを抽出する。そして、再生制御部１３０５は、抽出したエントリのキーワード出現位置１６０６に登録された再生位置を取得する。そして、再生制御部１３０５は、取得した再生位置の再生画像及び再生音声を生成する。
【０１９２】
なお、再生制御部１３０５は、動画コンテンツ／シーン関連リンク情報テーブル１３０４を参照して再生位置を取得してもよい。
【０１９３】
次に、再生制御部１３０５は、指定されたキーワードに対応するシーンの関連情報の関連リンクを、動画コンテンツ／シーン関連情報入力部１３０３に取得させる（１８０４）。
【０１９４】
この場合、動画コンテンツ／シーン関連情報入力部１３０３は、図１５に示す動画コンテンツ／シーン関連リンク情報テーブル１３０４に登録されたエントリのうち、指摘されたキーワードと動画コンテンツ／シーンキーワード１５０２に登録されたキーワードとが一致するエントリを抽出する。そして、動画コンテンツ／シーン関連情報入力部１３０３は、抽出したエントリの動画コンテンツ／シーン関連リンク情報１５０３に登録された関連リンク情報を、キーワードに対応するシーンの関連情報の関連リンクとして取得し、取得した関連リンクを再生制御部１３０５に入力する。
【０１９５】
そして、再生制御部１３０５は、生成された再生画像及び再生音声、並びに取得した関連情報を映像出力部２０８に入力し（１８０５）、再生処理を終了する。
【０１９６】
一方、ステップ１８０２の処理で、ユーザによるキーワードの指定を受け付けていないと判定された場合、再生制御部１３０５は、動画コンテンツの再生位置が、当該動画コンテンツに含まれるいずれかのキーワードに対応する再生位置に達した否かを判定する（１８０６）。
【０１９７】
ステップ１８０６の処理で、動画コンテンツの再生位置が、当該動画コンテンツに含まれるいずれかのキーワードに対応する再生位置に達したと判定された場合、再生制御部は、当該再生位置の再生画像及び再生音声を生成する（１８０７）。
【０１９８】
次に、再生制御部１３０５は、指定されたキーワードに対応するシーンの関連情報の関連リンクを、動画コンテンツ／シーン関連情報入力部１３０３に取得させ（１８０８）、ステップ１８０５の処理に進む。動画コンテンツ／シーン関連情報入力部１３０３の関連リンクの取得方法はステップ１８０４の処理と同じなので、説明を省略する。
【０１９９】
一方、ステップ１８０６の処理で、動画コンテンツの再生位置が、当該動画コンテンツに含まれるいずれのキーワードに対応する再生位置にも達していないと判定された場合、再生制御部１３０５は、当該再生位置の動画コンテンツの再生画像及び再生音声を生成する（１８０９）。
【０２００】
次に、再生制御部１３０５は、ステップ１７０１の処理で動画コンテンツ／シーン関連情報入力部１３０３から入力された関連リンク情報を動画コンテンツの関連情報として取得する（１８１０）。
【０２０１】
そして、再生制御部１３０５は、生成された再生画像及び再生音声、並びに取得した関連情報を映像出力部２０８に入力し（１８１１）、再生処理を終了する。
【０２０２】
これによって、動画情報視聴装置は、動画コンテンツの再生位置がキーワードが出現する再生位置に達した場合、当該キーワードに対応する関連情報を表示できる。
【０２０３】
図１９は、本発明の第２の実施形態の更新処理のフローチャートである。
【０２０４】
まず、動画コンテンツ／シーン／関連情報嗜好生成部１３０７は、ステップ６０１の処理の判定結果が動画コンテンツの指定を受け付けたことを示すか否かを判定する（１９０１）。
【０２０５】
ステップ６０１の処理の判定結果が動画コンテンツの指定を受け付けたことを示すとステップ１９０１の処理で判定された場合、動画コンテンツ／シーン／関連情報嗜好生成部１３０７は、指定された動画コンテンツの動画コンテンツ／シーンキーワード嗜好度１６０３に登録された嗜好度を更新する（１９０３）。
【０２０６】
具体的には、動画コンテンツ／シーン／関連情報嗜好生成部１３０７は、動画コンテンツ／シーン／関連嗜好情報テーブル１３０８に登録されたエントリのうち、指定された動画コンテンツの名称とタイトル５０１に登録された登録された動画コンテンツの名称とが一致するエントリを抽出する。そして、動画コンテンツ／シーン／関連情報嗜好生成部１３０７は、抽出したエントリのうち、指定された動画コンテンツに含まれるキーワードと動画コンテンツ／シーンキーワード１６０２に登録されたキーワードとが一致するエントリを抽出する。そして、動画コンテンツ／シーン／関連情報嗜好生成部１３０７は、抽出したエントリの動画コンテンツ／シーンキーワード嗜好度１６０３に登録された嗜好度に所定値を加算する。
【０２０７】
ここで、動画コンテンツの指定とはユーザが動画コンテンツを選択することであるが、当該選択には、動画コンテンツの視聴、録画予約、録画、および再生等の種々の選択が含まれる。このため、動画コンテンツ／シーンキーワード嗜好度１６０３に加算される所定値には、選択の種類に応じて種々の値を設定してもよい。
【０２０８】
ステップ６０１の処理の判定結果が動画コンテンツの指定を受け付けたことを示さないとステップ１６０１の処理で判定された場合、動画コンテンツ／シーン／関連情報嗜好生成部１３０７は、キーワード指定部１３０６がユーザによるキーワードの指定を受け付けたか否かを判定する（１９０２）。
【０２０９】
ステップ１９０２の処理で、キーワード指定部１３０６がユーザによるキーワードの指定を受け付けたと判定された場合、ステップ１９０３の処理に進み、動画コンテンツ／シーン／関連情報嗜好生成部１３０７は、指定されたキーワードの動画コンテンツ／シーンキーワード嗜好度１６０３を更新する（１９０３）。
【０２１０】
一方、ステップ１９０２の処理で、キーワード指定部１３０６がユーザによるキーワードの指定を受け付けていないと判定された場合、ステップ１９０３の処理を実行せずに、ステップ１９０４の処理に進む。
【０２１１】
次に、動画コンテンツ／シーン／関連情報嗜好生成部１３０７は、ステップ１７０５の処理の判定結果が関連情報の指定を受け付けたことを示すか否かを判定する（１９０４）。
【０２１２】
ステップ１７０５の処理の判定結果が関連情報の指定を受け付けたことを示すとステップ１９０４の処理で判定された場合、動画コンテンツ／シーン／関連情報嗜好生成部１３０７は、指定された関連情報のキーワードの動画コンテンツキーワード関連情報嗜好度５０４に登録された嗜好度を更新する（１９０５）。
【０２１３】
具体的には、動画コンテンツ／シーン／関連情報嗜好生成部１３０７は、動画コンテンツ／シーン／関連嗜好情報テーブル１３０８に登録されたエントリのうち、指定された関連情報の表示中に再生されている動画コンテンツの名称とタイトル５０１に登録された動画コンテンツの名称とが一致するエントリを抽出する。そして、動画コンテンツ／シーン／関連情報嗜好生成部１３０７は、抽出したエントリのうち、指定された関連情報に対応するキーワードと動画コンテンツ／シーンキーワード１６０２に登録されたキーワードとが一致するエントリを抽出する。そして、動画コンテンツ／シーン／関連情報嗜好生成部１３０７は、抽出したエントリの動画コンテンツキーワード関連情報嗜好度５０４に登録された嗜好度に所定値を加算する。
【０２１４】
なお、指定された関連情報に対応するキーワードは、動画コンテンツ／シーン／関連情報嗜好生成部１３０７が図１５に示す動画コンテンツ／シーン関連リンク情報テーブル１３０４を参照することによって取得可能である。
【０２１５】
具体的には、動画コンテンツ／シーン／関連情報嗜好生成部１３０７は、動画コンテンツ／シーン関連リンク情報テーブル１３０４に登録されたエントリのうち、指定された関連情報の表示中に再生されている動画コンテンツの名称とタイトル４０１に登録された動画コンテンツの名称とが一致するエントリを抽出する。そして、動画コンテンツ／シーン／関連情報嗜好生成部１３０７は、抽出したエントリのうち、指定された関連情報の関連リンク情報と動画コンテンツ／シーン関連リンク情報１５０３に登録された関連リンク情報とが一致するエントリを抽出する。次に、動画コンテンツ／シーン／関連情報嗜好生成部１３０７は、抽出したエントリの動画コンテンツ／シーンキーワード１５０２に登録されたキーワードを、指定された関連情報に対応するキーワードとして抽出する。
【０２１６】
一方、ステップ１７０５の処理の判定結果が関連情報の指定を受け付けたことを示さないとステップ１９０４の処理で判定された場合、動画コンテンツ／シーン／関連情報嗜好生成部１３０７は、ステップ１９０５の処理を実行せずに、ステップ１９０６の処理に進む。
【０２１７】
次に、動画コンテンツ／シーン／関連情報嗜好生成部１３０７は、ステップ１９０３及び１９０５の処理の少なくとも一方で更新されたキーワードのキーワード融合嗜好度５０５に登録された嗜好度を更新し（１９０６）、更新処理を終了する。
【０２１８】
具体的には、動画コンテンツ／シーン／関連情報嗜好生成部１３０７は、動画コンテンツ／シーン／関連嗜好情報テーブル１３０８のエントリのうち、動画コンテンツ／シーンキーワード嗜好度１６０３に登録された嗜好度が更新されたエントリ、及び、動画コンテンツキーワード関連情報嗜好度５０４に登録された嗜好度が更新されたエントリを抽出する。そして、動画コンテンツ／シーン／関連情報嗜好生成部１３０７は、抽出したエントリの動画コンテンツ／シーンキーワード嗜好度１６０３に登録された嗜好度及び動画コンテンツキーワード関連情報嗜好度５０３に登録された嗜好度に基づいて融合嗜好度を算出し、算出した融合嗜好度をキーワード融合嗜好度５０５に登録する。
【０２１９】
図２０は、本発明の第２の実施形態の嗜好情報処理のフローチャートである。
【０２２０】
まず、嗜好情報取得部１３１０は、動画情報視聴装置から送信された動画コンテンツ／シーン／関連嗜好情報を受信したか否かを判定する（２００１）。
【０２２１】
ステップ２００１の処理で、動画コンテンツ／シーン／関連嗜好情報を受信したと判定された場合、嗜好情報取得部１３１０は、受信した動画コンテンツ／シーン／関連嗜好情報を動画コンテンツ／シーン／関連嗜好情報テーブル１３１１に記憶する（２００２）。
【０２２２】
一方、ステップ２００１の処理で、動画コンテンツ／シーン／関連嗜好情報を受信していないと判定された場合、嗜好情報処理を終了する。
【０２２３】
次に、動画コンテンツ／シーン関連情報収集部１３１２は、受信した動画コンテンツ／シーン／関連嗜好情報に基づいて関連リンク情報を収集する関連リンク情報収集処理を実行する（２００３）。関連リンク情報収集処理は図２１で詳細を説明する。
【０２２４】
そして、動画コンテンツ／シーン関連情報収集部１３１２は、ステップ２００３の処理で収集した関連リンク情報を動画コンテンツ／シーン関連リンク情報テーブル１３１３に記憶する（２００４）。
【０２２５】
そして、動画コンテンツ／シーン関連リンク情報送信部１３１４は、ステップ２００３の処理で収集した関連リンク情報を動画情報視聴装置へ送信し（２００５）、嗜好情報処理を終了する。
【０２２６】
図２１は、本発明の第２の実施形態のサーバによって実行される関連リンク情報収集処理のフローチャートである。
【０２２７】
まず、動画コンテンツ／シーン関連情報収集部１３１２は、受信した動画コンテンツ／シーン関連嗜好情報に含まれるキーワードに対応する関連情報が存在するＷｅｂページ等のリンク（関連リンク情報）をインターネット上から検索する（２１０１）。
【０２２８】
次に、動画コンテンツ／シーン関連情報収集部１３１２は、ステップ２１０１で検索されたキーワードに対応する関連リンク情報から、当該キーワードの融合嗜好度に対応する数の関連リンク情報を収集する（２１０２）。
【０２２９】
ここで、キーワードの融合嗜好度に対応する数は予め設定されており、融合嗜好度が大きいほど、収集される関連リンク情報の数が多くなるように設定される。
【０２３０】
したがって、サーバは、融合嗜好度が大きなキーワードほど多くの関連リンク情報を収集できる。
【０２３１】
本実施形態では、動画情報視聴装置は、動画コンテンツの再生位置がキーワードが出現する再生位置に達した場合、当該キーワードに対応し、ユーザの動画コンテンツの嗜好度及び関連情報の嗜好度に適応した関連情報を表示できる。
【０２３２】
（第３の実施形態）
本発明の第３の実施形態を図２２〜図２８を用いて説明する。
【０２３３】
本実施形態では、動画視聴装置がユーザによる所定の操作を受け付けた場合、ユーザの動画コンテンツの融合嗜好度順に動画コンテンツを並べて表示し、ユーザの嗜好度の高い動画コンテンツを推薦する。
【０２３４】
図２２は、本発明の第３の実施形態の動画情報視聴システムの機能ブロック図である。なお、本実施形態の動画情報視聴システムに備わる機能ブロックのうち第１の実施形態の図２に示す機能ブロック及び第２の実施形態の図１３に示す機能ブロックと同じ機能ブロックは、同じ符号を付与し、説明を省略する。
【０２３５】
動画情報視聴システムに備わる動画情報視聴装置は、動画コンテンツ入力部２０２、映像出力部２０８、動画コンテンツ／シーン関連リンク情報取得部１３０１、動画コンテンツ／シーン関連情報選択部１３０２、動画コンテンツ／シーン関連情報入力部１３０３、動画コンテンツ／シーン関連リンク情報テーブル１３０４、再生制御部１３０５、動画コンテンツ／シーン／関連情報嗜好生成部１３０７、動画コンテンツ／シーン／関連嗜好情報テーブル１３０８、嗜好情報送信部１３０９、動画コンテンツ選択部２２０１、及びキーワード指定部２２０２を備える。
【０２３６】
動画コンテンツ選択部２２０１は、ユーザの所定の操作（動画情報視聴装置の電源オン操作又は動画情報視聴装置のリモコンの所定ボタンの操作等）に基づき、動画コンテンツごとのユーザの嗜好度を示す推薦動画コンテンツ／シーン情報の取得要求を、サーバに備わる推薦動画コンテンツ／シーン情報送信部２２０５にネットワーク入出力装置１０７を介して送信し、推薦動画コンテンツ／シーン情報送信部２２０５から推薦動画コンテンツ／シーン情報を取得する。推薦動画コンテンツ／シーン情報は、図２３で詳細を説明する。
【０２３７】
そして、動画コンテンツ選択部２２０１は、取得した推薦動画コンテンツ／シーン情報を再生制御部１３０５に出力し、再生制御部１３０５に図２４に示す動画コンテンツ推薦一覧表示画面２４００を映像出力部２０８に出力させ、映像出力装置１０３に動画コンテンツ推薦一覧表示画面２４００を表示させる。
【０２３８】
また、動画コンテンツ選択部２２０１は、動画コンテンツ推薦一覧表示画面２４００を介してユーザによる動画コンテンツの選択を受け付ける。
【０２３９】
キーワード指定部２２０２は、推薦動画コンテンツ／シーン情報送信部２２０５から送信された推薦動画コンテンツ／シーン情報送信部２３０５からネットワーク入出力装置１０７を介して推薦動画コンテンツ／シーン情報を取得する。
【０２４０】
そして、キーワード指定部２２０２は、動画コンテンツ推薦一覧表示画面２４００に表示された動画コンテンツが選択された場合、取得した推薦動画コンテンツ／シーン情報を再生制御部１３０５に出力し、動画コンテンツ選択部２２０１が受け付けた選択によって指定された動画コンテンツに含まれるキーワード及び関連情報をユーザの嗜好度順に並べたキーワード／関連情報推薦一覧表示画面２５００（図２５参照）を映像出力部２０８に出力させ、映像出力装置１０３にキーワード／関連情報推薦一覧表示画面２５００を表示させる。
【０２４１】
動画情報視聴システムに備わるサーバは、嗜好情報取得部１３１０、動画コンテンツ／シーン／関連嗜好情報テーブル１３１１、動画コンテンツ／シーン関連情報収集部１３１２、動画コンテンツ／シーン関連リンク情報テーブル１３１３、動画コンテンツ／シーン関連リンク情報送信部１３１４、推薦動画コンテンツ／シーン情報生成部２２０３、推薦動画コンテンツ／シーン情報テーブル２２０４、及び推薦動画コンテンツ／シーン情報送信部２２０５を備える。
【０２４２】
推薦動画コンテンツ／シーン情報生成部２２０３は、動画コンテンツ／シーン／関連嗜好情報テーブル１３１１のキーワード融合嗜好度５０５に基づいて、各コンテンツの総合融合嗜好度を算出し、図２３に示す推薦動画コンテンツ／シーン情報を生成し、生成した推薦動画コンテンツ／シーン情報を推薦動画コンテンツ／シーン情報テーブル２２０４に記憶する。
【０２４３】
ここで、総合融合嗜好度は、コンテンツに含まれるすべてのキーワードのキーワード融合嗜好度を加算したものである。
【０２４４】
推薦動画コンテンツ／シーン情報送信部２２０５は、動画コンテンツ選択部２２０１及びキーワード指定部２２０２からの推薦動画コンテンツ／シーン情報取得要求を受信した場合、推薦動画コンテンツ／シーン情報を、動画コンテンツ選択部２２０１及びキーワード指定部２２０２にネットワーク入出力装置１０７を介して送信する。
【０２４５】
図２３は、本発明の第３の実施形態の推薦動画コンテンツ／シーン情報の説明図である。
【０２４６】
推薦動画コンテンツ／シーン情報は、タイトル２３０１、動画コンテンツ嗜好度２３０２、及びキーワード融合嗜好度２３０３を含む。
【０２４７】
タイトル２３０１には、動画コンテンツに放送局が付与した名称が登録される。
【０２４８】
動画コンテンツ嗜好度２３０２には、動画コンテンツの総合嗜好度が登録される。キーワード融合嗜好度２３０３には、動画コンテンツに含まれるキーワードの融合嗜好度が登録される。
【０２４９】
例えば、動画コンテンツ「ニュースヘッドライン」の動画コンテンツ嗜好度２３０２には、当該動画コンテンツに含まれるキーワード融合嗜好度の総和（Ｋ１＋Ｋ２＋Ｋ３＋・・・）が登録される。
【０２５０】
図２４は、本発明の第３の実施形態の動画コンテンツ推薦一覧表示画面２４００の説明図である。
【０２５１】
動画コンテンツ推薦一覧表示画面２４００は、動画情報視聴装置がユーザによる所定の操作を受け付けた場合に表示され、動画コンテンツのタイトルを動画コンテンツ嗜好度２３０２に高い順に上から並べた画面である。
【０２５２】
例えば、図２４では、タイトルＡの動画コンテンツが、動画コンテンツ嗜好度が最も高いことを示す。
【０２５３】
なお、図２４では、動画コンテンツ推薦一覧表示画面２４００に表示される各動画コンテンツのタイトルに対応付けて、各動画コンテンツに含まれるキーワードでキーワード融合嗜好度が最大のキーワードに対応する関連情報を表示してもよい。
【０２５４】
例えば、各動画コンテンツのタイトルの横側に当該関連情報を表示する。
【０２５５】
図２５は、本発明の第３の実施形態のキーワード／関連情報推薦一覧表示画面２５００の説明図である。
【０２５６】
キーワード／関連情報推薦一覧表示画面２５００は、動画コンテンツ選択部２２０１が動画コンテンツ推薦一覧表示画面２４００からコンテンツの選択を受け付けた場合に表示され、キーワード及び当該キーワードに対応する関連情報をキーワード融合嗜好度順に並べた画面である。
【０２５７】
動画コンテンツ推薦一覧表示画面２４００は、キーワード一覧表示部２５０１及び関連情報一覧表示部２５０２を含む。
【０２５８】
キーワード一覧表示部２５０１では、キーワードがキーワード融合嗜好度順に上から並べられ、関連情報一覧表示部２５０２では、関連情報が各関連情報に対応するキーワード融合嗜好度順に上から並べられる。
【０２５９】
図２６は、本発明の第３の実施形態の動画情報視聴処理のフローチャートである。なお、動画情報視聴処理に含まれる処理のうち第１の実施形態の図６に示す動画情報視聴処理及び第２の実施形態の図１７に示す動画情報視聴処理と同じ処理は、同じ符号を付与し、説明を省略する。
【０２６０】
まず、動画情報視聴装置がユーザによる所定の操作を受け付けた場合、動画コンテンツ選択部２２０１がサーバから推薦動画コンテンツ／シーン情報を取得し、再生制御部１３０５が動画コンテンツ推薦一覧表示画面２４００の表示データを生成して、映像出力部２０８が動画コンテンツ推薦一覧表示画面２４００を表示する動画コンテンツ推薦一覧表示画面生成処理を実行する（２６０１）。動画コンテンツ推薦一覧表示画面生成処理は、図２７で詳細を説明する。
【０２６１】
次に、ステップ６０１、１７０１、及び１７０２の処理が実行された後、キーワード指定部２２０２が取得した推薦動画コンテンツ／シーン情報を再生制御部１３０５に出力し、再生制御部１３０５がキーワード／関連情報推薦一覧表示画面２５００を生成し、生成したキーワード／関連情報推薦一覧表示画面２５００の表示データを生成し、映像出力部２０８がキーワード／関連情報推薦一覧表示画面２５００を表示するキーワード／関連情報推薦一覧表示画面２５００を実行する（２６０２）。
【０２６２】
そして、動画情報視聴装置は、ステップ１７０３〜１７１０の処理を実行し、動画情報視聴処理を終了する。
【０２６３】
図２７は、本発明の第３の実施形態の動画コンテンツ推薦一覧表示画面生成処理のフローチャートである。
【０２６４】
まず、動画コンテンツ選択部２２０１は、ユーザによる所定の操作を受け付けたか否かを判定する（２７０１）。所定の操作とは、前述したように、例えば、動画情報視聴装置の電源をオンする操作、及び、動画情報視聴装置のリモコンに備わるボタンのうち動画コンテンツ推薦一覧表示画面の表示を要求するボタンの操作である。
【０２６５】
ステップ２７０１の処理で、ユーザによる所定の操作を受け付けていないと判定された場合、動画コンテンツ推薦一覧表示画面生成処理を終了する。
【０２６６】
一方、ステップ２７０１の処理で、ユーザによる所定の操作を受け付けたと判定された場合、動画コンテンツ選択部２２０１は、推薦動画コンテンツ／シーン情報をサーバから取得する要求である推薦動画コンテンツ／シーン情報取得要求を、サーバに備わる推薦動画コンテンツ／シーン情報送信部２２０５に送信する（２７０２）。
【０２６７】
次に、動画コンテンツ選択部２２０１は、推薦動画コンテンツ／シーン情報送信部２２０５から送信された推薦動画コンテンツ／シーン情報を受信し（２７０３）、受信した推薦動画コンテンツ／シーン情報を再生制御部１３０５へ入力する（２７０４）。
【０２６８】
再生制御部１３０５は、推薦動画コンテンツ／シーン情報が動画コンテンツ選択部２２０１から入力された場合、入力された推薦動画コンテンツ／シーン情報を参照し、動画コンテンツ／シーン情報に含まれる動画コンテンツ嗜好度の高い順に動画コンテンツのタイトルを所定数取得し、取得した動画コンテンツのタイトルに基づいて動画コンテンツ推薦一覧表示画面２４００の表示データを生成する（２７０５）。所定数は、動画コンテンツ推薦一覧表示画面２４００で表示される動画コンテンツの数である。
【０２６９】
次に、再生制御部１３０５は、ステップ２７０５の処理で生成された動画コンテンツ推薦一覧表示画面２４００の表示データを映像出力部２０８へ入力する（２７０６）。
【０２７０】
そして、映像出力部２０８は、入力された動画コンテンツ推薦一覧表示画面２４００の表示データに基づいて、動画コンテンツ推薦一覧表示画面２４００を表示し（２７０７）、動画コンテンツ推薦一覧表示画面生成処理を終了する。
【０２７１】
図２８は、本発明の第３の実施形態のキーワード／関連情報推薦一覧表示画面生成処理のフローチャートである。
【０２７２】
まず、キーワード指定部２２０２は、ステップ６０１の処理で選択された動画コンテンツの指定によって特定された動画コンテンツの推薦動画コンテンツ／シーン情報をサーバから取得する要求である推薦動画コンテンツ／シーン情報取得要求を、サーバに備わる推薦動画コンテンツ／シーン情報送信部２２０５に送信する（２８０１）。
【０２７３】
次に、キーワード指定部２２０２は、推薦動画コンテンツ／シーン情報送信部２２０５から送信された推薦動画コンテンツ／シーン情報を受信し（２８０２）、受信した推薦動画コンテンツ／シーン情報を再生制御部１３０５へ入力する（２８０３）。
【０２７４】
再生制御部１３０５は、推薦動画コンテンツ／シーン情報がキーワード指定部２２０２から入力された場合、入力された推薦動画コンテンツ／シーン情報を参照し、ステップ６０１の処理で指定された動画コンテンツに含まれるキーワードから、キーワード融合嗜好度が高い順にキーワードを所定数取得し、取得したキーワードに基づいてキーワード／関連情報推薦一覧表示画面２５００の表示データを生成する（２８０４）。なお、所定数は、動画コンテンツ推薦一覧表示画面２４００で表示される動画コンテンツの数である。
【０２７５】
具体的には、再生制御部１３０５は、取得したキーワードに対応する関連情報を取得し、取得したキーワード及び関連情報からキーワード／関連情報推薦一覧表示画面２５００の表示データを生成する。
【０２７６】
次に、再生制御部１３０５は、ステップ２８０４の処理で生成されたキーワード／関連情報推薦一覧表示画面２５００の表示データを映像出力部２０８へ入力する（２８０５）。
【０２７７】
そして、映像出力部２０８は、入力されたキーワード／関連情報推薦一覧表示画面２５００の表示データに基づいて、キーワード／関連情報推薦一覧表示画面２５００を表示し（２８０６）、キーワード／関連情報推薦一覧表示画面生成処理を終了する。
【０２７８】
本実施形態では、動画視聴装置がユーザによる所定の操作を受け付けた場合、ユーザの動画コンテンツの融合嗜好度順に動画コンテンツを並べて表示し、ユーザの嗜好度の高い動画コンテンツを推薦でき、さらに、動画コンテンツが選択された場合に、キーワード及び関連情報をユーザの嗜好度の高い順に推薦できる。
【符号の説明】
【０２７９】
２０１    動画コンテンツ選択部
２０２    動画コンテンツ入力部
２０３    動画コンテンツ関連リンク情報取得部
２０４    動画コンテンツ関連情報選択部
２０５    動画コンテンツ関連情報入力部
２０６    動画コンテンツ関連リンク情報テーブル
２０７    再生制御部
２０８    映像出力部
２０９    動画コンテンツ／関連情報嗜好生成部
２１０    動画コンテンツ／関連嗜好情報テーブル
２１１    嗜好情報送信部
２１２    嗜好情報取得部
２１３    動画コンテンツ／関連嗜好情報テーブル
２１４    動画コンテンツ関連情報収集部
２１５    動画コンテンツ関連リンク情報テーブル
２１６    動画コンテンツ関連リンク情報送信部
【図１】
2012084966.tif 000003
【図２】
2012084966.tif 000004
【図３】
2012084966.tif 000005
【図４】
2012084966.tif 000006
【図５】
2012084966.tif 000007
【図６】
2012084966.tif 000008
【図７】
2012084966.tif 000009
【図８】
2012084966.tif 000010
【図９】
2012084966.tif 000011
【図１０】
2012084966.tif 000012
【図１１】
2012084966.tif 000013
【図１２】
2012084966.tif 000014
【図１３】
2012084966.tif 000015
【図１４】
2012084966.tif 000016
【図１５】
2012084966.tif 000017
【図１６】
2012084966.tif 000018
【図１７】
2012084966.tif 000019
【図１８】
2012084966.tif 000020
【図１９】
2012084966.tif 000021
【図２０】
2012084966.tif 000022
【図２１】
2012084966.tif 000023
【図２２】
2012084966.tif 000024
【図２３】
2012084966.tif 000025
【図２４】
2012084966.tif 000026
【図２５】
2012084966.tif 000027
【図２６】
2012084966.tif 000028
【図２７】
2012084966.tif 000029
【図２８】
2012084966.tif 000030